(57)【要約】出力抑制を実施する再エネ電源が発電した電力を効率的に活用するため、複数の発電装置それぞれにおける発電関連情報と上限発電出力とに基づいて、前記複数の発電装置におけるトータル余剰出力を算出する第１算出部（１８１）と、トータル余剰出力と、トータル余剰出力を吸収する複数のエネルギー貯蔵装置における貯蔵関連情報とに基づいて残存余剰電力情報を算出する第２算出部（１８２）と、残存余剰電力情報に基づいて複数の発電装置それぞれに発電抑制制御情報を送信する送信部（１９１）と、を備える制御装置（１０）を提供する。
2017149618.tif 000002
【特許請求の範囲】
【請求項１】
複数の発電装置それぞれにおける発電関連情報と上限発電出力とに基づいて、前記複数の発電装置におけるトータル余剰出力を算出する第１算出手段と、
前記トータル余剰出力と、前記トータル余剰出力を吸収する複数のエネルギー貯蔵装置における貯蔵関連情報とに基づいて残存余剰電力情報を算出する第２算出手段と、
前記残存余剰電力情報に基づいて、発電抑制制御情報を算出し、前記複数の発電装置それぞれに前記発電抑制制御情報を送信する送信手段と、
を備える制御装置。
【請求項２】
請求項１に記載の制御装置において、
前記送信手段は、前記発電装置における前記発電関連情報と前記上限発電出力とに基づいて、前記複数の発電装置それぞれに対する発電抑制制御情報を算出し、前記発電抑制制御情報を送信する制御装置。
【請求項３】
請求項２に記載の制御装置において、
前記発電関連情報は、発電出力の予測値であり、
前記送信手段は、前記発電装置における前記発電出力の予測値と前記上限発電出力とに基づいて、前記複数の発電装置それぞれに対する発電抑制制御情報を算出し、前記発電抑制制御情報を送信する制御装置。
【請求項４】
請求項３に記載の制御装置において、
前記送信手段は、前記発電出力の予測値の中の前記上限発電出力以上の出力が大きいほど、前記発電装置における発電抑制の値が大きくなるようにした前記発電抑制制御情報を送信する制御装置。
【請求項５】
請求項３に記載の制御装置において、
前記送信手段は、前記発電出力の予測値が前記上限発電出力以上の前記発電装置に対して、前記発電抑制制御情報を送信する制御装置。
【請求項６】
請求項２に記載の制御装置において、
前記発電関連情報は、発電出力の実測値であり、
前記送信手段は、前記発電装置における前記発電出力の実測値と前記上限発電出力とに基づいて、前記複数の発電装置それぞれに対する発電抑制制御情報を算出し、前記発電抑制制御情報を送信する制御装置。
【請求項７】
請求項６に記載の制御装置において、
前記送信手段は、前記発電出力の実測値の中の前記上限発電出力以上の出力が大きいほど、前記発電装置における発電抑制の値が大きくなるようにした前記発電抑制制御情報を送信する制御装置。
【請求項８】
請求項７に記載の制御装置において、
前記送信手段は、前記発電出力の実測値が前記上限発電出力以上の前記発電装置に対して、前記発電抑制制御情報を送信する制御装置。
【請求項９】
請求項１に記載の制御装置において、
前記送信手段は、発電出力の予測値または実測値が上限発電出力以上である複数の発電装置におけるトータル余剰出力に対する、発電装置ごとの上限発電出力以上の予測値または実測値である余剰出力の割合に基づいて分配した前記発電抑制制御情報を送信する制御装置。
【請求項１０】
請求項１から９のいずれか１項に記載の制御装置において、
前記送信手段は、前記トータル余剰出力を示す情報と前記発電抑制制御情報を前記複数の発電装置に一斉送信する制御装置。
【請求項１１】
請求項１から１０のいずれか１項に記載の制御装置であって、
前記複数の発電装置それぞれの単位時間帯ごとの上限発電出力を受信する受信手段を備え、
前記送信手段は、前記単位時間帯ごとに算出した前記発電抑制制御情報を、複数の前記発電装置それぞれに送信する制御装置。
【請求項１２】
請求項１から１０のいずれか１項に記載の制御装置であって、
前記複数の発電装置それぞれの単位時間帯ごとの余剰出力を受信する受信手段を備え、
前記送信手段は、前記単位時間帯ごとに算出した前記発電抑制制御情報を、複数の前記発電装置それぞれに送信する制御装置。
【請求項１３】
請求項１１または１２に記載の制御装置において、
前記受信手段は、抑制実施時間帯を受信し、
前記第２算出手段は、前記抑制実施時間帯の前に、前記残存余剰電力情報を算出し、
前記送信手段は、前記抑制実施時間帯の前に、前記発電抑制制御情報を送信する制御装置。
【請求項１４】
請求項１から１３のいずれか１項に記載の制御装置において、
前記送信手段は、前記残存余剰電力情報の値が大きいほど、前記発電抑制制御情報の値を大きくする制御装置。
【請求項１５】
請求項１３または１４に記載の制御装置において、
前記抑制実施時間帯に、前記発電抑制制御情報の内容を変更するイベントの発生を検出するイベント検出手段を有し、
前記第２算出手段は、検出した前記イベントに基づいて、前記残存余剰電力情報を更新し、
前記送信手段は、更新された前記残存余剰電力情報に基づいた前記発電抑制制御情報を複数の前記発電装置それぞれに送信する制御装置。
【請求項１６】
請求項１５に記載の制御装置において、
前記第２算出手段は、単位時間帯ごとに、複数の前記エネルギー貯蔵装置で吸収する電力量に基づいて残存余剰電力量を算出し、
前記イベント検出手段は、以前の前記単位時間帯におけるトータル余剰出力量が、複数の前記エネルギー貯蔵装置で吸収する電力量に満たない前記イベントの発生を検出する制御装置。
【請求項１７】
請求項１６に記載の制御装置において、
前記第２算出手段は、前記以前の単位時間帯に複数の前記エネルギー貯蔵装置で吸収する電力量から、前記以前の単位時間帯における複数の前記発電装置全体でのトータル余剰出力量を引いた値を、以後の前記単位時間帯における複数の前記エネルギー貯蔵装置で吸収する電力量に加えることで、複数の前記エネルギー貯蔵装置で吸収する電力量を前記単位時間帯ごとに更新する制御装置。
【請求項１８】
請求項１６に記載の制御装置において、
前記第２算出手段は、前記以前の単位時間帯に複数の前記エネルギー貯蔵装置で吸収する電力量から、前記以前の単位時間帯における複数の前記発電装置全体でのトータル余剰出力量を引いた値を、以後の前記単位時間帯における複数の前記エネルギー貯蔵装置で吸収する電力量に加えることで、前記残存余剰電力情報を更新し、
前記送信手段は、更新された前記残存余剰電力情報に基づいた前記発電抑制制御情報を複数の前記発電装置それぞれに送信する制御装置。
【請求項１９】
請求項１６に記載の制御装置において、
前記イベント検出手段は、複数の前記エネルギー貯蔵装置の一部が前記トータル余剰出力を吸収できない前記イベントを検出する制御装置。
【請求項２０】
請求項１９に記載の制御装置において、
前記第２算出手段は、前記イベントの検出に応じて、複数の前記エネルギー貯蔵装置で吸収する電力量を前記単位時間帯ごとに更新する制御装置。
【請求項２１】
請求項２０に記載の制御装置において、
前記第２算出手段は、前記イベントの検出に応じて前記単位時間帯毎に、複数の前記エネルギー貯蔵装置で吸収する電力量に基づいて前記残存余剰電力量を更新し、
前記送信手段は、更新された前記残存余剰電力情報に基づいた前記発電抑制制御情報を複数の前記発電装置それぞれに送信する制御装置。
【請求項２２】
請求項１から２１のいずれか１項に記載の制御装置において、
前記トータル余剰出力を吸収する複数のエネルギー貯蔵装置を、前記貯蔵関連情報に基づいて単位時間ごとに選択する選択手段を備える制御装置。
【請求項２３】
請求項２２に記載の制御装置において、
単位時間帯ごとに前記上限発電出力が設定されており、
前記選択手段は前記単位時間帯ごとに前記エネルギー貯蔵装置を選択することを特徴とする制御装置。
【請求項２４】
請求項１から２３のいずれか１項に記載の制御装置において、
単位時間帯ごとに、前記上限発電出力が設定され、前記複数のエネルギー貯蔵装置が選択されており、
前記第２算出手段は前記単位時間帯ごとに前記残存余剰電力情報を算出することを特徴とする制御装置。
【請求項２５】
発電出力が上限発電出力以上である複数の発電装置におけるトータル余剰出力を示す情報と発電抑制制御情報を受信する受信手段と、
発電出力の実測値と上限発電出力との差分である余剰出力を算出する算出手段と、
前記トータル余剰出力と、前記余剰出力と、前記発電抑制制御情報と、に基づいて前記発電出力を制御する制御手段と、
を有する発電制御装置。
【請求項２６】
請求項２５に記載の発電制御装置において、
前記制御手段は、前記トータル余剰出力に対する余剰出力の割合の大きさ、または前記余剰出力の大きさに基づいて前記発電出力を制御する発電制御装置。
【請求項２７】
請求項２６に記載の発電制御装置において、
前記制御手段は、前記余剰出力が大きいほど、前記発電装置における発電抑制の値を大きくする制御装置。
【請求項２８】
請求項２６に記載の発電制御装置において、
前記制御手段は、前記トータル余剰出力に対する余剰出力の割合が大きいほど、前記発電装置における発電抑制の値を大きくする発電制御装置。
【請求項２９】
請求項２５から２８のいずれか１項に記載の発電制御装置において、
前記トータル余剰出力は、前記複数の発電装置それぞれにおける上限発電出力以上の発電出力の実測値の合計である発電制御装置。
【請求項３０】
請求項１から２４のいずれか１項に記載の制御装置と、
請求項２５から２９のいずれか１項に記載の発電制御装置と、
を有するシステム。
【請求項３１】
コンピュータが、
複数の発電装置それぞれにおける発電関連情報と上限発電出力とに基づいて、前記複数の発電装置におけるトータル余剰出力を算出する第１算出工程と、
前記トータル余剰出力と、前記トータル余剰出力を吸収する複数のエネルギー貯蔵装置における貯蔵関連情報とに基づいて残存余剰電力情報を算出する第２算出工程と、
前記残存余剰電力情報に基づいて前記複数の発電装置それぞれに発電抑制制御情報を送信する送信工程と、
を実行する制御方法。
【請求項３２】
コンピュータを、
複数の発電装置それぞれにおける発電関連情報と上限発電出力とに基づいて、前記複数の発電装置におけるトータル余剰出力を算出する第１算出手段、
前記トータル余剰出力と、前記トータル余剰出力を吸収する複数のエネルギー貯蔵装置における貯蔵関連情報とに基づいて残存余剰電力情報を算出する第２算出手段、
前記残存余剰電力情報に基づいて前記複数の発電装置それぞれに発電抑制制御情報を送信する送信手段、
として機能させるプログラム。
【発明の詳細な説明】
【技術分野】
【０００１】
本発明は、制御装置、発電制御装置、制御方法、システム、及び、プログラムに関する。
【背景技術】
【０００２】
太陽光発電装置や風力発電装置などの再生可能エネルギーを用いて発電する発電装置（以下、「再エネ電源」とも称する）が知られている。近年、電力系統に接続された再エネ電源が急激に増えてきている。【０００３】
再エネ電源の出力は天候に依存して変動するため安定しない（計画できない）。このため、電力系統に接続された再エネ電源が増えると、電力系統の需給バランスを維持するのが難しくなる。再エネ電源の出力変動の影響で電力系統内の需給バランスが崩れると、電力系統の周波数や電圧を所定範囲に維持するのが難しくなる。【０００４】
そのため、再エネ電源の出力変動を緩和する技術が求められている。例えば、再エネ電源側で出力の変化率を所定の値（または範囲内）に維持するよう抑制する技術が検討されており、非特許文献１に関連する技術が開示されている。【０００５】
また、出力変動のレベルを超え、大きく需給バランスが崩れて（供給過剰）停電の恐れさえ出てくる時間帯においては、再エネ電源の発電電力のうち所定の値を超える余剰出力分を抑制する技術が検討されており、特許文献１に関連する技術が開示されている。【０００６】
特許文献２に、電力系統における系統崩壊を抑制させ、かつ発電電力の有効活用が可能になるという太陽光発電システムが開示されている。同文献によると、この太陽光発電システムは、太陽光発電を行う太陽電池モジュールと、発電電力を計測する計測ユニットと、を有し、さらに、発電電力を消費可能な電気機器として、電力供給に応じて湯を沸かす電気温水器が含まれる。そして、この太陽光発電システムは、出力抑制を指示する出力抑制情報を取得し、かつ電気温水器が沸き上げ動作可能と判断すると、計測ユニットは、発電電力の出力抑制を解除するとともに、電気温水器に使用させる使用電力を算出する。
【先行技術文献】
【特許文献】
【０００７】
【特許文献１】特開２０１３−５５３７号公報
【特許文献２】特開２０１５−１０６９３７号公報
【非特許文献】
【０００８】
【非特許文献１】東芝レビューVol.65 No.9 「太陽光発電システムの出力変動抑制技術」、[online]、[平成２７年１２月１６日検索]、インターネット＜URL: https://www.toshiba.co.jp/tech/review/2010/09/65_09pdf/a04.pdf＞
【発明の概要】
【発明が解決しようとする課題】
【０００９】
しかし特許文献２では、電気温水器が沸き上げ動作可能と判断すると、発電電力の出力抑制を解除するが、併設された電気温水器を含むエネルギー貯蔵装置において充電及び／又は電力消費することで吸収可能な電力以上の余剰出力は吸収できず、その場合は即太陽光発電システムを抑制しなければならない。また、電気温水器が併設された太陽光発電システムの発電変動のみに対応しているため、実際は他所の太陽光発電等の再エネ発電が下がったために、トータルで抑制する必要が無いような場合にも、発電を抑制してしまう。その結果、複数の太陽光発電システムなどの再エネ電源が出力抑制を受信した際、複数の太陽光発電システム全体として発電された電力を効率的に活用できないという問題があった。本発明は、上記課題を解決する技術を提供することを目的とする。
【課題を解決するための手段】
【００１０】
本発明によれば、
複数の発電装置それぞれにおける発電関連情報と上限発電出力とに基づいて、前記複数の発電装置におけるトータル余剰出力を算出する第１算出手段と、
前記トータル余剰出力と、前記トータル余剰出力を吸収する複数のエネルギー貯蔵装置における貯蔵関連情報と、に基づいて残存余剰電力情報を算出する第２算出手段と、
前記残存余剰電力情報に基づいて前記複数の発電装置それぞれに発電抑制制御情報を送信する送信手段と、
を備える制御装置が提供される。【００１１】
また、本発明によれば、
発電出力が上限発電出力以上である複数の発電装置におけるトータル余剰出力と発電抑制制御情報を受信する受信部と、
発電出力の実測値と上限発電出力との差分である余剰出力を算出する算出部と、
前記トータル余剰出力における前記余剰出力の割合と前記発電抑制制御情報とに基づいて前記発電出力を制御する制御部と、
を有する発電制御装置が提供される。【００１２】
また、本発明よれば、前記制御装置と、前記発電制御装置と、を有するシステムが提供される。【００１３】
また、本発明によれば、
コンピュータが、
複数の発電装置それぞれにおける発電関連情報と上限発電出力とに基づいて、前記複数の発電装置におけるトータル余剰出力を算出する第１算出工程と、
前記トータル余剰出力と、前記トータル余剰出力を吸収する複数のエネルギー貯蔵装置における貯蔵関連情報とに基づいて残存余剰電力情報を算出する第２算出工程と、
前記残存余剰電力情報に基づいて前記複数の発電装置それぞれに発電抑制制御情報を送信する送信工程と、
を実行する制御方法が提供される。【００１４】
また、本発明によれば、
コンピュータを、
複数の発電装置それぞれにおける発電関連情報と上限発電出力とに基づいて、前記複数の発電装置におけるトータル余剰出力を算出する第１算出手段、
前記トータル余剰出力と、前記トータル余剰出力を吸収する複数のエネルギー貯蔵装置における貯蔵関連情報とに基づいて残存余剰電力情報を算出する第２算出手段、
前記残存余剰電力情報に基づいて前記複数の発電装置それぞれに発電抑制制御情報を送信する送信手段、
として機能させるプログラムが提供される。【００１５】
なお、以下の実施形態で詳細を説明するが、「発電関連情報」は、各発電装置の定格出力（Ｗ）及び実際の発電実績（Ｗ）等に対応する概念である。【００１６】
また、「複数のエネルギー貯蔵装置における貯蔵関連情報」は、各エネルギー貯蔵装置の定格出力（Ｗ）及び定格容量（Ｗｈ）等に対応する概念である。「残存余剰電力情報」は、残存余剰出力（Ｗ）、及び、残存余剰電力量（Ｗｈ）等に対応する概念である。「残存余剰出力（Ｗ）」、及び、「残存余剰電力量（Ｗｈ）」の定義は、以下の実施形態で説明する。
【発明の効果】
【００１７】
本発明によれば、出力抑制を実施する複数の再エネ電源が発電した電力を効率的に活用することができる。
【図面の簡単な説明】
【００１８】
上述した目的、および、その他の目的、特徴及び利点は、以下に述べる好適な実施の形態、及び、それに付随する以下の図面によって、さらに明らかになる。【００１９】
【図１】本実施形態の装置のハードウエア構成の一例を概念的に示す図である。
【図２】本実施形態の電力制御システムの全体像及び概要の一例を説明するための図である。
【図３】本実施形態の制御装置の機能ブロック図の一例である。
【図４】本実施形態の制御装置に登録される情報の一例を模式的に示す図である。
【図５】本実施形態の制御装置に登録される情報の一例を模式的に示す図である。
【図６】本実施形態の発電抑制指令の一例を模式的に示す図である。
【図７】本実施形態の発電抑制指令の一例を模式的に示す図である。
【図８】本実施形態の電力制御システムの処理の具体例を説明するための図である。
【図９】本実施形態の電力制御システムの処理の具体例を説明するための図である。
【図１０】本実施形態の電力制御システムの処理の具体例を説明するための図である。
【図１１】本実施形態の制御装置の処理の流れの一例を示すフローチャートである。
【図１２】本実施形態の制御装置の機能ブロック図の一例である。
【図１３】本実施形態の電力制御システムの処理の具体例を説明するための図である。
【図１４】本実施形態の制御装置の機能ブロック図の一例である。
【図１５】本実施形態の貯蔵制御装置の機能ブロック図の一例である。
【図１６】本実施形態の電力制御システムの処理の流れの一例を示すシーケンス図である。
【図１７】本実施形態の電力制御システムの処理の具体例を説明するための図である。
【図１８】本実施形態の電力制御システムの全体像を説明するための図である。
【図１９】本実施形態の電力制御システムの作用効果を説明するための図である。
【図２０】本実施形態の余剰算出部の機能ブロック図の一例である。
【図２１】本実施形態の貯蔵制御装置の機能ブロック図の一例である。
【図２２】本実施形態の制御装置の機能ブロック図の一例である。
【図２３】本実施形態の発電装置の機能ブロック図の一例である。
【図２４】本実施形態の電力制御システムの全体像を説明するための図である。
【図２５】本実施形態の制御装置の機能ブロック図の一例である。
【発明を実施するための形態】
【００２０】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２１】
＜第１の実施形態＞
まず、本実施形態の課題を説明する。再エネ電源の有効活用の観点から、再エネ電源の発電電力の抑制を極力実施しないことが好ましい。そこで、本発明者は、再エネ電源の発電電力の上限を定めた発電抑制指令があった場合、当該上限を超えて発電された電力（以下、「余剰出力」とも称する）を、リアルタイムに、エネルギー貯蔵装置（例：蓄電池、ヒートポンプ給湯機）で充電及び／又は消費する手段を検討した。
【００２２】
本発明者は、特に、再エネ電源やエネルギー貯蔵装置の柔軟なスケール変更の可能性、有効活用の観点から、広域に分散している複数の再エネ電源のトータル余剰出力を、広域に分散している複数のエネルギー貯蔵装置で、リアルタイムに充電及び／又は消費する技術（以下、「検討技術」とも称する）を検討した。そして、以下のような課題を見出した。
【００２３】
検討技術では、複数のユーザ各々で管理されているエネルギー貯蔵装置を活用し、複数の再エネ電源が発電したトータル余剰出力を充電及び／又は消費する。このようにすれば、再エネ電源個々の発電バラツキの影響を緩和でき、且つ当該処理のために新たなエネルギー貯蔵装置を準備する必要がなく、費用負担等を軽減できる。
【００２４】
しかし、複数のユーザ各々で管理されているエネルギー貯蔵装置は、複数のユーザ各々により自由に利用される。このため、トータル余剰出力を充電及び／又は消費する処理が必要な時に、当該処理のためのエネルギー貯蔵装置を十分に確保できない状況が発生し得る。
【００２５】
本発明は、広域に分散している複数の再エネ電源のトータル余剰出力を、広域に分散している複数のエネルギー貯蔵装置で充電及び／又は消費する技術における当該課題を解決することを目的（課題）とする。
【００２６】
まず、図２を用いて本実施形態の電力制御システムの全体像及び概要を説明する。本実施形態の電力制御システムは、制御装置１０、複数のエネルギー貯蔵システム３１及び複数の発電装置６０を有する。
【００２７】
発電装置６０は、太陽光、風力、小水力、地熱等の自然エネルギーを用いて発電する発電装置であり、いわゆる再エネ電源である。発電装置６０は、事業者により管理される大規模な発電装置（例：メガソーラ等）であってもよいし、一般家庭により管理される小規模な発電装置であってもよい。
【００２８】
発電装置６０は、発電要素６２及び出力制御装置（発電制御装置）６１を有する。発電要素６２は、太陽電池パネル等であり、自然エネルギーを用いて発電する。出力制御装置６１は、パワーコンディショナー及び発電制御部を有する。パワーコンディショナーは、発電要素６２から電力系統に供給される電力を調整する。発電制御部は、制御装置１０から受信した発電抑制制御情報に基づきパワーコンディショナーを制御し、発電要素６２から電力系統に供給される電力を、所定値以下に抑制する。
【００２９】
エネルギー貯蔵システム３１は、貯蔵制御装置２０及びエネルギー貯蔵装置３０を有する。エネルギー貯蔵装置３０は、供給された電力を、所定のエネルギーとして蓄積するよう構成される。例えば、供給された電力を電力として蓄積する蓄電池や、電気自動車（に搭載の蓄電池）、供給された電力を熱エネルギーに変換して蓄積するヒートポンプ給湯機等が考えられるが、これらに限定されない。エネルギー貯蔵装置３０は、事業者により管理される大規模なエネルギー貯蔵装置であってもよいし、一般家庭により管理される小規模なエネルギー貯蔵装置であってもよい。貯蔵制御装置２０は、エネルギー貯蔵装置３０の動作を制御する。
【００３０】
制御装置１０は、出力制御装置６１に、発電要素６２を制御するための情報を送信する。また、制御装置１０は、貯蔵制御装置２０に、エネルギー貯蔵装置３０を制御するための情報を送信する。制御装置１０は、いわゆるクラウドサーバであってもよい。
【００３１】
これらの装置は、インターネット等のネットワーク５０を介して互いに接続され、互いに情報の送受信を行う。
【００３２】
本実施形態の電力制御システムは、広域に分散している複数の発電装置６０のトータル余剰出力を、広域に分散している複数のエネルギー貯蔵装置３０で充電及び／又は消費するよう構成される。トータル余剰出力（Ｗ）は、複数の発電装置６０各々の発電出力（Ｗ）の合計が、発電抑制指令で特定される複数の発電装置各々の上限発電出力（Ｗ）の合計を超えた分である。発電抑制指令は、例えば、電力系統の送配電を管理する送配電事業者により作成される。
【００３３】
複数のエネルギー貯蔵装置３０を十分に確保でき、トータル余剰出力を十分に充電及び／又は消費できる場合には、発電装置６０の出力抑制を行わない。トータル余剰出力（Ｗ）のすべてを、確保したエネルギー貯蔵装置３０で充電及び／又は消費する。かかる場合、電力系統の需給バランスを崩すことなく、発電装置６０を最大限に有効活用できる。
【００３４】
一方、複数のエネルギー貯蔵装置３０を十分に確保できず、トータル余剰出力を十分に充電及び／又は消費できない場合には、エネルギー貯蔵装置３０で充電及び／又は消費できない分だけ、発電装置６０の出力抑制を行う。かかる場合、電力系統の需給バランス維持を優先しつつ、可能な範囲で発電装置６０を有効活用できる。
【００３５】
例えば、図１９に示すように、発電抑制指令において、図示するような抑制時間帯と、上限発電出力（発電装置６０の定格出力の６０％）とが定められたとする。そして、トータル余剰出力を吸収する処理のために確保できたエネルギー貯蔵装置３０で充電及び／又は消費できる電力が、発電装置６０の定格出力の２０％分であったとする。この場合、図示するように、定格出力の２０％分までのトータル余剰出力をエネルギー貯蔵装置３０で充電及び／又は消費するが、これ以上の分については発電装置６０の発電を抑制することになる。この場合であっても、発電装置６０は、定格出力の８０％まで出力できるので、発電抑制指令で定められる上限発電出力（６０％）を超えて出力できている。
【００３６】
このように、本実施形態では、発電抑制指令の内容及びエネルギー貯蔵装置３０の確保状況に応じて、発電装置６０の発電抑制の実施の有無、及び、その内容等を決定する。図２に示す各装置は、概ね以下のように動作する。
【００３７】
制御装置１０は、複数の発電装置６０各々に対する発電抑制指令を取得する。発電抑制指令は、抑制実施時間帯、及び、単位時間帯毎の上限発電出力を含む。当該取得に応じて、制御装置１０は、抑制実施時間帯にトータル余剰出力を充電及び／又は消費する処理を実行するエネルギー貯蔵装置３０を決定（確保）する。
【００３８】
その後、制御装置１０は、発電抑制指令、及び、上記決定の内容（エネルギー貯蔵装置３０の確保状況）に基づき、決定されたエネルギー貯蔵装置３０で充電又は消費できない残存余剰出力（Ｗ）及び／又は残存余剰電力量（Ｗｈ）を算出する。
【００３９】
残存余剰出力（Ｗ）及び／又は残存余剰電力量（Ｗｈ）がある場合、制御装置１０は、残存余剰出力分及び／又は残存余剰電力量分の発電（出力）を抑制させるための発電抑制制御情報を、発電装置６０に送信する。なお、残存余剰出力及び残存余剰電力量が「０」である場合、発電抑制（出力抑制）はなされない。
【００４０】
発電装置６０は、外部装置から情報を受信する受信部、及び、外部装置に情報を送信する送信部を備える。発電装置６０の受信部は、例えば、制御装置１０から上記発電抑制制御情報を受信する。また、発電装置６０の送信部は、例えば、自装置の発電状況を示す発電関連情報（出力の実測値（Ｗ）等）を制御装置１０に送信する。
【００４１】
残存余剰出力及び残存余剰電力量がある場合、発電装置６０は、制御装置１０から発電抑制制御情報を受信する。この場合、発電装置６０は、抑制実施時間帯に、当該発電抑制制御情報に基づいた発電抑制（出力抑制）を実施する。一方、残存余剰出力及び残存余剰電力量が「０」である場合、発電装置６０は、抑制実施時間帯の間も発電抑制（出力抑制）なしで発電を行う。
【００４２】
また、制御装置１０は、トータル余剰出力をエネルギー貯蔵装置３０で充電及び／又は消費させるための制御情報を、貯蔵制御装置２０に送信する。
【００４３】
貯蔵制御装置２０は、外部装置から情報を受信する受信部、及び、外部装置に情報を送信する送信部を備える。貯蔵制御装置２０の受信部は、例えば、制御装置１０から上記制御情報を受信する。また、貯蔵制御装置２０の送信部は、例えば、エネルギー貯蔵装置３０の状態を示す状態情報（例えば、ＳＯＣ（State Of Charge）、空き容量（Ｗｈ）、充電量（Ｗｈ）、電圧、電流、温度、蓄エネ量、エラー情報等）を制御装置１０に送信する。
【００４４】
貯蔵制御装置２０は、制御装置１０から上記制御情報を受信すると、当該制御情報に従い決定した所定の充電電力（Ｗ）及び／又は消費電力（Ｗ）で、エネルギー貯蔵装置３０に充電及び／又は消費させる。
【００４５】
次に、制御装置１０の構成について詳細に説明する。図３に、制御装置１０の機能ブロック図の一例を示す。図示するように、制御装置１０は、受信部１１１と、選択部１７と、残存余剰算出部１８と、送信部１９１とを有する。受信部１１１は指令取得部１１を有する。残存余剰算出部１８は、第１算出部１８１と第２算出部１８２とを有する。送信部１９１は発電抑制制御情報送信部１９を有する。
【００４６】
まず、制御装置１０には、管理対象の複数の発電装置６０及び複数のエネルギー貯蔵装置３０が登録される。制御装置１０は、管理対象の複数の発電装置６０のトータル余剰出力を、管理対象の複数のエネルギー貯蔵装置３０で充電及び／又は消費する。
【００４７】
例えば、図４に示すような発電装置６０各々の属性情報が、制御装置１０に予め登録される。図４では、複数の発電装置６０各々を識別する発電装置ＩＤ（Identification）と、各発電装置６０の定格出力（Ｗ）と、各発電装置６０の設置位置とが互いに対応付けられている。なお、これらの一部を含まなくてもよいし、その他の属性情報がさらに登録されてもよい。ここでいう定格出力（Ｗ）とは、発電装置６０が例えば太陽光発電装置であった場合、パワーコンディショナーや設置されている太陽光パネルの総数等で決定される、太陽光発電装置毎の逆潮流電力の上限値のことである。
【００４８】
また、例えば、図５に示すようなエネルギー貯蔵装置３０各々の属性情報（貯蔵関連情報）が、制御装置１０に予め登録される。図５では、複数のエネルギー貯蔵装置３０各々を識別するエネルギー貯蔵装置ＩＤと、各エネルギー貯蔵装置３０の種類と、各エネルギー貯蔵装置３０の定格出力（Ｗ）と、各エネルギー貯蔵装置３０の定格容量（Ｗｈ）と、各エネルギー貯蔵装置３０を制御する貯蔵制御装置２０のネットワーク５０上のアドレス情報とが互いに対応付けられている。なお、これらの一部を含まなくてもよいし、その他の属性情報がさらに登録されてもよい。
【００４９】
図５に示す種類は、例えば、蓄電池、ヒートポンプ給湯機等のように、エネルギーの蓄積手段等に応じた分類や、鉛蓄電池やリチウムイオン蓄電池等の電池の種類、更に蓄電池の充放電応答特性などを示す。なお、管理対象として登録されるエネルギー貯蔵装置３０が、一種類に限定される場合（例：リチウムイオン蓄電池のみ）、当該属性情報の登録は不要である。
【００５０】
図３に戻り、受信部１１１は、外部装置から所定の情報を受信する。指令取得部１１は、自然エネルギーを用いて発電する発電装置６０に対する指令であって、抑制実施時間帯、及び、単位時間帯（例えば３０分）毎の上限発電出力を含む発電抑制指令を取得する。指令取得部１１は、管理対象の発電装置６０に対する発電抑制指令を取得する。
【００５１】
発電抑制指令は、発電装置６０ごとに異なる内容であってもよい。図６に、このような発電抑制指令の例を模式的に示す。図６では、発電装置６０毎（発電装置ＩＤ毎）の発電抑制指令が示されている。
【００５２】
各発電装置６０に対する発電抑制指令では、単位時間帯毎の上限発電出力が示されている。図示する例では、３０分単位で、上限発電出力が示されている。そして、上限発電出力は、各発電装置６０の定格出力（Ｗ）を１００（％）とする割合（％）で示されている。図より、発電装置６０ごとに、各単位時間帯の上限発電出力が異なることが分かる。
【００５３】
なお、図示する例では、２つの発電装置６０の抑制実施時間帯がいずれも１３時から１５時で一致しているが、発電装置６０毎に抑制実施時間帯が異なってもよい。また、管理対象の発電装置６０の中に、発電抑制指令を受けた発電装置６０と発電抑制指令を受けなかった発電装置６０とが混在してもよい。
【００５４】
発電抑制指令のその他の例として、発電抑制指令の内容は複数の発電装置６０に共通のものであってもよい。図７に、このような発電抑制指令の例を模式的に示す。図７では、発電装置４０毎に分けず、発電抑制指令が示されている。なお、当該例の場合も、管理対象の発電装置６０の中に、発電抑制指令を受けた発電装置６０と発電抑制指令を受けなかった発電装置６０とが混在してもよい。この場合、指令取得部１１は、図７に示すような発電抑制指令に加えて、発電抑制指令の対象となる発電装置６０を識別する情報を取得する。
【００５５】
なお、図６及び図７に示す例では、単位時間帯を３０分単位にしているが、１時間単位や１５分単位、５分、１分単位等、その他にしてもよい。また、図示する例では、上限発電出力を、各発電装置６０の定格出力に対する割合（％）で示しているが、その他、出力値そのもの（例：４００ｋＷ）で上限出力を示してもよい。
【００５６】
上述のような発電抑制指令は、例えば電力系統の送配電を管理する送配電事業者のシステム（以下、「送配電事業者システム」とも称する）により作成され、所定の対象者に送信される。送配電事業者システムによる当該処理は、従来技術に準じて実現できるのでここでの詳細な説明は省略するが、一例の概要は以下の通りである。
【００５７】
送配電事業者システムは、例えば、翌日の属性情報（例：気象予報、年月日、曜日、行事等）に基づき、翌日１日分の電力需要予測及び電力系統に接続された発電装置６０による発電予測等を行う。そして、これらの予測に基づき、発電抑制の必要性、発電抑制を実施すべき時間帯、実施すべき地域、実施対象とする発電装置６０、抑制するトータル発電量（単位時間帯毎）、各発電装置６０の抑制量（単位時間帯毎）等を決定する。そして、送配電事業者システムは、所定のタイミング（例：前日の所定時刻）で、所定の対象に発電抑制指令を送信する。
【００５８】
例えば、送配電事業者システムは、制御装置１０に登録されている複数の発電装置６０各々に対する発電抑制指令を、制御装置１０に送信するよう構成されてもよい。この場合、指令取得部１１は、送配電事業者システムから、発電抑制指令を受信する。
【００５９】
その他、送配電事業者システムは、複数の発電装置６０各々に発電抑制指令を送信してもよい。この場合、指令取得部１１は、管理対象の複数の発電装置６０各々から、発電抑制指令を受信する。
【００６０】
図３に戻り、選択部１７は、トータル余剰出力を充電又は消費する余剰吸収処理を抑制実施時間帯に実行する複数のエネルギー貯蔵装置３０を決定する。トータル余剰出力（Ｗ）は、複数の発電装置６０各々の発電出力（Ｗ）の実測値合計が複数の発電装置６０各々の上限発電出力（Ｗ）の合計を超えた分である。複数の発電装置６０各々の上限発電出力は、発電抑制指令に基づき定まる。発電抑制指令を受けている発電装置６０の上限発電出力は、発電抑制指令で定められている上限発電出力である。発電抑制指令を受けていない発電装置６０の上限発電出力は、例えば定格出力である。
【００６１】
ここで、選択部１７が、余剰吸収処理を実行する複数のエネルギー貯蔵装置３０を決定する処理例について説明する。
【００６２】
例えば、予め登録されているすべてのエネルギー貯蔵装置３０が、すべての余剰吸収処理に参加し、トータル余剰出力を充電及び／又は消費する処理を実行してもよい。この場合、選択部１７は、予め登録されているすべてのエネルギー貯蔵装置３０を、余剰吸収処理を実行するエネルギー貯蔵装置３０として決定する。
【００６３】
他の例として、予め登録されている複数のエネルギー貯蔵装置３０の少なくとも一部が、余剰吸収処理に参加し、トータル余剰出力を充電及び／又は消費する処理を実行してもよい。この場合、選択部１７は、予め登録されている複数のエネルギー貯蔵装置３０の中から、各回の余剰吸収処理に参加する少なくとも一部のエネルギー貯蔵装置３０を決定する。
【００６４】
ここで、「１回分の余剰吸収処理」の概念について説明する。例えば、１回分の発電抑制指令（例：図６に示す翌日１日分の発電抑制指令）に対する余剰吸収処理（図６の例の場合、１３時〜１５時までの余剰吸収処理）を１回分として扱ってもよい。
【００６５】
その他、１回分の発電抑制指令（例：図６の翌日１日分の発電抑制指令）に対する余剰吸収処理（図６の例の場合、１３時〜１５時までの余剰吸収処理）を複数の余剰吸収処理に分割し、分割ごとの余剰吸収処理各々を１回分として扱ってもよい。例えば、図６の例の場合、時間帯毎に余剰吸収処理を分割し、１３時〜１４時の余剰吸収処理を１回分、１４時〜１５時での余剰吸収処理を１回分として扱ってもよい。時間帯を分割する最小単位は、３０分に限らず、１５分でも１０分でも１分でも、十数秒単位でも可能である。分割する単位を短い時間にするほど、きめ細かい余剰吸収処理が可能となる。
【００６６】
その他、複数回分の発電抑制指令に対する余剰吸収処理を１回分として扱ってもよい。
【００６７】
ここで、選択部１７が、予め登録されている複数のエネルギー貯蔵装置３０の中から、各回の余剰吸収処理に参加する少なくとも一部のエネルギー貯蔵装置３０を決定する処理例について説明する。
【００６８】
一例として、予めローテーションが定められており、複数のエネルギー貯蔵装置３０が当該ローテーションに従い順次余剰吸収処理に参加するよう構成されてもよい。この場合、選択部１７は、当該ローテーションに基づき、各回の余剰吸収処理に参加する少なくとも一部のエネルギー貯蔵装置３０を決定する。
【００６９】
他の例として、予め、複数のエネルギー貯蔵装置３０各々を管理するユーザが、参加する余剰吸収処理の条件を決定し、制御装置１０に登録しておいてもよい。当該条件としては、例えば、時期的条件（例：３月〜８月は参加、その他は不参加等）、時間的条件（例：９時〜１７時は参加、その他は不参加等）、インセンティブ条件（例：余剰吸収電力の対価が５円／ｋＷｈ以上で参加）、その他の条件（例：トータル時間が２時間以内の場合参加、２時間を超える場合不参加等）等が考えられるが、これらに限定されない。
【００７０】
この場合、選択部１７は、予め登録されている複数のエネルギー貯蔵装置３０の中から、参加条件に合致する少なくとも一部のエネルギー貯蔵装置３０を決定する。
【００７１】
その他、選択部１７は、各回毎に、複数のエネルギー貯蔵装置３０各々を管理するユーザに対して、余剰吸収処理への参加を募集してもよい。この場合、選択部１７は、参加を表明したユーザのエネルギー貯蔵装置３０を、各回の余剰吸収処理に参加するエネルギー貯蔵装置３０として決定する。募集は、電子メール、ネットワーク５０上の電子掲示板、ソーシャルメディア等のコミュニケーション手段を用いて行うことができる。
【００７２】
なお、複数のエネルギー貯蔵装置３０各々を管理するユーザは、余剰吸収処理におけるエネルギー貯蔵装置３０の利用条件を定めることができてもよい。利用条件は、余剰吸収処理で利用可能な出力上限（Ｗ）や、余剰吸収処理で利用可能な容量上限（Ｗｈ）等である（つまり、エネルギー貯蔵装置３０の出力や容量の一部のみ余剰吸収処理に参加する）。利用条件は、各回の余剰吸収処理毎に定めることができてもよい。
【００７３】
図３に戻り、残存余剰算出部１８は、抑制実施時間帯の前に、発電抑制指令、及び、選択部１７による決定内容に基づき、決定されたエネルギー貯蔵装置３０で充電又は消費できない残存余剰出力（Ｗ）及び／又は残存余剰電力量（Ｗｈ）を算出する。具体的には、残存余剰算出部１８は、単位時間帯毎に、残存余剰出力（Ｗ）及び／又は残存余剰電力量（Ｗｈ）を算出する。そして、単位時間帯毎に、発電装置６０の発電抑制内容を決定する。
【００７４】
なお、余剰吸収処理におけるエネルギー貯蔵装置３０の利用条件が定められている場合、残存余剰算出部１８は、当該利用条件に基づき、残存余剰出力及び／又は残存余剰電力量を算出する。
【００７５】
残存余剰算出部１８によるこれらの処理は、「複数の発電装置それぞれにおける発電関連情報と上限発電出力とに基づいて、複数の発電装置におけるトータル余剰出力を算出する第１算出部１８１」と、「トータル余剰出力と、トータル余剰出力を吸収する複数のエネルギー貯蔵装置３０における貯蔵関連情報とに基づいて残存余剰電力情報を算出する第２算出部１８２」とにより実現される。以下、具体例を用いて、残存余剰出力（Ｗ）及び／又は残存余剰電力量（Ｗｈ）の算出、及び、発電抑制内容の決定例を示す。
【００７６】
＜例１＞
まず、単位時間帯毎に、残存余剰出力（Ｗ）及び／又は残存余剰電力量（Ｗｈ）を算出する処理を説明する。例えば、指令取得部１１は、１０台の発電装置６０（定格出力５００ｋＷ）と、５台の発電装置６０（定格出力４００ｋＷ）とに対して、図７に示すような発電抑制指令を取得したとする。
【００７７】
この場合、図８に示すように、各単位時間帯のトータル余剰出力（Ｗ）の上限及びトータル余剰出力量（Ｗｈ）の上限が算出される。１３時００分から１３時３０分の単位時間帯を例に説明する。図７より、当該単位時間帯の上限発電出力は定格出力の８０％である。このため、当該単位時間帯の余剰出力の上限は、定格出力の２０％である。トータル余剰出力の上限は、図７に示すような発電抑制指令を受けた１５台の発電装置６０各々の定格出力の２０％分を足し合わせた値である。そして、トータル余剰出力量は、上記トータル余剰出力の上限に、当該単位時間帯分の０．５時間をかけた値である。
【００７８】
図８の結果より、抑制実施時間帯全体で最も大きなトータル余剰出力の上限は１４時００分から１４時３０分の単位時間帯の２１００ｋＷであり、また、抑制実施時間帯全体でのトータル余剰出力量の上限は、３１５０ｋＷｈであることが分かる。
【００７９】
次に、選択部１７は、図９に示すように、出力５ｋＷ、容量６ｋＷｈ分を余剰吸収処理で利用可能な２００台のエネルギー貯蔵装置３０と、出力４ｋＷ、容量５ｋＷｈ分を余剰吸収処理で利用可能な１００台のエネルギー貯蔵装置３０とを決定（確保）したとする。
【００８０】
この場合、図９に示すように、決定した３００台のエネルギー貯蔵装置３０のトータル出力は１４００ｋＷ（＝５ｋＷ×２００＋４ｋＷ＋１００）であり、トータル容量は１７００ｋＷｈ（＝６ｋＷｈ×２００＋５ｋＷｈ×１００）である。
【００８１】
このような確保状況の場合、トータル余剰出力の上限への対応としては、１４時００分から１４時３０分の単位時間帯のみ７００ｋＷ（=２１００ｋＷ−１４００ｋＷ）分の出力が不足し、トータル余剰出力量の上限への対応としては、１４５０ｋＷｈ（＝３１５０ｋＷｈ−１７００ｋＷｈ）分の容量が不足する。このような場合、残存余剰算出部１８は、例えば図９に示すように、利用可能な容量を各単位時間帯に割り振る。
【００８２】
割り振るルールは設計的事項である。例えば、複数の単位時間帯に均等に割り振ってもよいし、制御装置１０のオペレータがその都度割り振り方を決定してもよい。但し、再生可能エネルギー発電の場合、発電量を計画することができないため、あらかじめ発電予測の値を参考にしたり、抑制時間帯全体を通じて発電抑制量を確率的に小さくできる手法を用いる等が望ましい。
【００８３】
割り振る処理の一例として、各発電装置６０の発電予測の値と上限発電出力とに基づいて、各発電装置に個別に割り振ってもいい。具体的には、発電装置６０ごとに発電予測の値が異なる場合、発電装置６０ごとの発電予測の値が上限発電出力を超過する大きさに基づいて、発電抑制制御情報の大きさを決めてもよい。つまり、上限発電出力を超えた発電予測の値が相対的に大きい発電装置６０に、より大きな発電抑制の負担（発電を抑制される量が大きい）を割り振ってもよい。一方、上限発電出力を超えた発電予測の値が相対的に小さい発電装置６０には、より小さな発電抑制の負担（発電を抑制される量が小さい）を割り振ってもよい。なお、発電予測の値が上限発電出力より相対的に小さい発電装置６０は、発電抑制制御情報を受信しない、もしくは受信しても発電の抑制は実施しなくてもよい。
【００８４】
その他、制御装置１０は、発電装置６０ごとの発電予測の値を用いて上限発電出力を超えた発電出力である余剰出力を算出し、発電出力が上限発電出力以上である複数の発電装置６０におけるトータル余剰出力に対する余剰出力の割合を発電装置６０ごとに算出してもよい。そして、制御装置１０は、発電装置６０ごとの負担係数（割合）と発電抑制制御情報とに基づいて、発電装置６０ごとに割り振ってもよい。そして、制御装置１０は、発電装置６０ごとに個別に割り振った内容を示す発電抑制情報を送信してもよい。つまり制御装置１０は、発電抑制制御情報を上記負担係数（割合）の大きさに基づいて当該発電装置６０における発電抑制の担当分を算出し、発電装置６０ごとに個別に分配した発電抑制情報を送信してもよい。
【００８５】
なお、各単位時間帯に割り振る電力量は、「複数のエネルギー貯蔵装置３０のトータル出力」と「各単位時間帯の時間」との積以下とする必要がある。図９に示す確保状況の場合、各単位時間帯に割り振る電力量は、１４００ｋＷ（図９参照）と、０．５時間との積である７００ｋＷｈ以下とする必要がある。このようにすることで、各単位時間帯に残存余剰出力（Ｗ）が発生することを回避できる。図９の割り振り例の場合、当該条件を満たすように割り振られている。
【００８６】
図９では、太陽光発電予測を用いた結果、１３時００分から１４時００分の発電量は比較的大きいが、１４時００分から１５時００分の発電量は、比較的少ない（発電抑制指令による上限発電出力に達しない電源もある）と予測されたため、発電抑制指令による上限発電出力の状況も考慮し、１３時００分から１３時３０分、１３時３０分から１４時００分、及び、１４時００分から１４時３０分に、５００ｋＷｈ（必要出力１０００ｋＷ）を割り振り、１４時３０分から１５時００分に、２００ｋＷｈ（必要出力４００ｋＷ）を割り振っている。
【００８７】
これは、１３時００分から１３時３０分、１３時３０分から１４時００分、及び、１４時００分から１４時３０分各々の単位時間帯においては、複数のエネルギー貯蔵装置３０でトータル１０００ｋＷを出力の上限、トータル５００ｋＷｈを容量の上限としてトータル余剰出力を充電及び／又は消費し、１４時３０分から１５時００分の単位時間帯においては、複数のエネルギー貯蔵装置３０でトータル４００ｋＷを出力の上限、トータル２００ｋＷｈを容量の上限としてトータル余剰出力を充電及び／又は消費することを意味する。
【００８８】
上述のように割り振った後（図９参照）、残存余剰算出部１８は、各単位時間帯に割り振られた容量（充電／諸費する電力量（上限））と、各単位時間帯のトータル余剰出力量（図８参照）の上限との差を、各単位時間帯の残存余剰電力量として算出する。
【００８９】
次に、残存余剰算出部１８が、単位時間帯毎に、発電装置６０の発電抑制内容を決定する処理を説明する。残存余剰算出部１８は、残存余剰電力及び／残存余剰電力量（残存余剰電力情報の値）が大きいほど、発電抑制（出力抑制）の値を大きくする（発電抑制情報の値を大きくする）。
【００９０】
図９に示すように、単位時間帯毎に残存余剰電力量を算出した後、残存余剰算出部１８は、当該残存余剰電力量分の発電抑制（出力抑制）を複数の発電装置６０に割り振る。割り振るルールは設計的事項であるが、複数の発電装置６０に均等に割り振ってもよい。例えば、残存余剰電力量分の発電抑制（出力抑制）を複数の発電装置６０で按分してもよい。その他、定格出力に対する抑制割合を複数の発電装置６０で均等に揃えてもよい。
【００９１】
図９には、定格出力に対する抑制割合を複数の発電装置６０で均等に揃えた例が示されている。図９に示す各単位時間帯の「出力上限」の値が、発電抑制（出力抑制）の内容を示す。これは、定格出力に対する抑制割合（出力上限）を示し、すべての発電装置６０に共通に適用される。
【００９２】
定格出力５００ｋＷの１０台の発電装置６０（図８参照）に対して出力上限をＭ（Ｍは百分率の値であり、０≦Ｍ≦１である。）に設定し、同様に、定格出力４００ｋＷの５台の発電装置６０に対して出力上限をＭに設定したとする。この場合、単位時間帯において抑制される電力量は、最大で５００ｋＷ×（１−Ｍ）×１０台×０．５時間＋４００ｋＷ×（１−Ｍ）×５台×０．５時間となる。この値が、各単位時間帯の残存余剰電力量となるようにＭを算出すればよい。
【００９３】
例えば、１３時００分から１３時３０分では４００ｋＷ不足するので、全１５台の発電装置６０の定格７０００ｋＷ−４００ｋＷ＝６６００ｋＷが発電上限となり、抑制割合は、６６００ｋＷ／７０００ｋＷ＝３３／３５となる。すなわち、Ｍ＝３３／３５である。同様に、１４時００分から１４時３０分では１１００ｋＷ不足するので、全１５台の発電装置６０の定格７０００ｋＷ−１１００ｋＷ＝５９００ｋＷが発電上限となり、抑制割合は、５９００ｋＷ／７０００ｋＷ＝５９／７０となる。すなわち、Ｍ＝５９／７０である。
【００９４】
＜例２＞
例１では、主に残存余剰電力量（Ｗｈ）が発生し、この分の発電抑制（出力抑制）を行う例を説明した。例２では、残存余剰出力（Ｗ）が発生し、この分の発電抑制（出力抑制）を行う例を説明する。例１同様、指令取得部１１は、１０台の発電装置６０（定格出力５００ｋＷ）と、５台の発電装置６０（定格出力４００ｋＷ）とに対して、図７に示すような発電抑制指令を取得したとする。
【００９５】
この場合、図８に示すように、各単位時間帯のトータル余剰出力（Ｗ）の上限及びトータル余剰出力量（Ｗｈ）の上限が算出される。
【００９６】
そして、選択部１７は、図１０に示すように、出力５ｋＷ、容量２０ｋＷｈ分を余剰吸収処理で利用可能な２００台のエネルギー貯蔵装置３０と、出力４ｋＷ、容量２０ｋＷｈ分を余剰吸収処理で利用可能な１００台のエネルギー貯蔵装置３０とを決定（確保）したとする。
【００９７】
この場合、図１０に示すように、決定した複数のエネルギー貯蔵装置３０のトータル出力は１４００ｋＷ（＝５ｋＷ×２００＋４ｋＷ＋１００）となり、トータル容量は６０００ｋＷｈ（＝２０ｋＷｈ×２００＋２０ｋＷｈ×１００）となる。
【００９８】
ここで、図８に示される複数の単位時間帯のトータル余剰出力量の和（３１５０ｋＷｈ）は、図１０に示すエネルギー貯蔵装置３０のトータル容量（６０００ｋＷｈ）以下である。すなわち、トータル余剰出力量の上限を充電及び／又は消費するために、十分な容量が確保されている。
【００９９】
一方、図８に示される各単位時間帯のトータル余剰出力の上限と、図１０に示すエネルギー貯蔵装置３０のトータル出力（１４００ｋＷ）とを比較すると、１４時００から１４時３０分の単位時間帯において、トータル余剰出力の上限（２１００ｋＷ）がエネルギー貯蔵装置３０のトータル出力（１４００ｋＷ）を上回る。このため、残存余剰算出部１８は、１４時００から１４時３０分の単位時間帯において残存余剰出力７００ｋＷ（＝２１００ｋＷ−１４００ｋＷ）を算出する。
【０１００】
なお、図８に示されるその他の単位時間帯のトータル余剰出力の上限（１４００ｋＷ）は、図１０に示すエネルギー貯蔵装置３０のトータル出力（１４００ｋＷ）以下である。このため、残存余剰算出部１８は、その他の単位時間帯の残存余剰出力は０ｋＷと算出する。
【０１０１】
当該例の場合、残存余剰算出部１８は、１４時００分から１４時３０分の単位時間帯において、残存余剰出力分の発電抑制（出力抑制）を行う抑制内容を決定する。残存余剰出力分の発電抑制（出力抑制）を複数の発電装置６０に割り振るルールは設計的事項であるが、ここでは、定格出力に対する抑制割合を、複数の発電装置６０で均等に揃えるものとする。
【０１０２】
定格出力５００ｋＷの１０台の発電装置６０（図８参照）に対して出力上限をＭ（Ｍは百分率の値であり、０≦Ｍ≦１である。）に設定し、同様に、定格出力４００ｋＷの５台の発電装置６０に対して出力上限をＭに設定したとする。この場合、抑制される出力電力は、５００ｋＷ×（１−Ｍ）×１０台＋４００ｋＷ×（１−Ｍ）×５台となる。この値が、各単位時間帯の残存余剰出力となるようにＭを算出すればよい。
【０１０３】
なお、例１及び例２に共通の前提であるが、残存余剰出力分及び／又は残存余剰電力量分の抑制割合を複数の発電装置６０で一致させず、発電装置毎の発電予測の状況等を考慮し、発電装置６０ごとに異ならせてもよい。この場合であっても、同様の考え方で、各発電装置６０の出力上限（例：定格出力に対する抑制割合等）を算出することができる。
【０１０４】
図３に戻り、送信部１９１は、外部装置に所定の情報を送信する。発電抑制制御情報送信部１９は、残存余剰出力分及び／又は残存余剰電力量分の発電を抑制させるための発電抑制制御情報を、複数の発電装置６０各々に送信する。発電抑制制御情報は、抑制実施時間帯の単位時間帯毎の上限発電出力を含んでもよい。発電抑制制御情報送信部１９は、抑制実施時間帯の前に、発電抑制情報を送信することができる。
【０１０５】
例えば、発電抑制制御情報送信部１９は、残存余剰算出部１８が算出した単位時間帯毎の出力上限（例：定格出力に対する抑制割合。図９及び図１０の出力上限参照）を複数の発電装置６０に送信する。
【０１０６】
また、送信部１９１は、トータル余剰出力をエネルギー貯蔵装置３０で充電及び／又は消費させるための制御情報を、貯蔵制御装置２０に送信することができる。
【０１０７】
次に、図１１のフローチャートを用いて、本実施形態の制御装置１０の処理の流れの一例を説明する。
【０１０８】
まず、指令取得部１１は、自然エネルギーを用いて発電する発電装置６０に対する指令であって、抑制実施時間帯、及び、単位時間帯毎の上限発電出力を含む発電抑制指令を取得する（Ｓ３０）。
【０１０９】
次に、選択部１７は、抑制実施時間帯にトータル余剰出力を充電及び／又は消費する余剰吸収処理を実行する複数のエネルギー貯蔵装置３０を決定（確保）する（Ｓ３１）。
【０１１０】
次に、残存余剰算出部１８は、Ｓ３０で取得された発電抑制指令、及び、Ｓ３１での選択部１７による決定内容に基づき、決定されたエネルギー貯蔵装置３０で充電及び／又は消費できない残存余剰出力（Ｗ）及び／又は残存余剰電力量（Ｗｈ）を算出する（Ｓ３２）。
【０１１１】
次に、発電抑制制御情報送信部１９は、残存余剰出力分及び／又は残存余剰電力量分の発電を抑制させるための発電抑制制御情報を、複数の発電装置６０各々に送信する（Ｓ３３）。なお、Ｓ３２で、残存余剰出力及び残存余剰電力量「０」と算出された場合、Ｓ３３の処理が実行されずに終了してもよいし、その旨を示す発電抑制情報が送信されてもよい。
【０１１２】
Ｓ３０乃至Ｓ３３の処理は、発電抑制指令で特定される抑制実施時間帯の前に行われる。
【０１１３】
Ｓ３３で送信された発電抑制制御情報を受信した発電装置６０は、発電抑制指令で特定される抑制実施時間帯に、発電抑制制御情報に基づき発電抑制（出力抑制）を実施する。
【０１１４】
具体的には、発電装置６０の発電制御部は、発電抑制制御情報送信部１９から受信した発電抑制制御情報に基づきパワーコンディショナーを制御し、発電要素から電力系統に供給される電力を、発電抑制制御情報で特定される上限発電出力以下に抑制する。
【０１１５】
また、上記抑制実施時間帯において、図２の貯蔵制御装置２０は、制御装置１０から受信した制御情報に従いエネルギー貯蔵装置３０を制御し、所定の充電電力及び／又は消費電力で充電及び／又は消費させる。本実施形態では、当該処理の詳細は設計的事項であり、あらゆる構成を採用できる。なお、以下の実施形態で一例を説明する。
【０１１６】
以上説明したように、本実施形態の電力制御システムは、広域に分散している複数の発電装置６０のトータル余剰出力を、広域に分散している複数のエネルギー貯蔵装置３０で充電及び／又は消費する技術に関する。
【０１１７】
そして、複数のエネルギー貯蔵装置３０を十分に確保でき、トータル余剰出力を十分に充電及び／又は消費できる場合には、発電装置６０の発電抑制（出力抑制）を行わず、エネルギー貯蔵装置３０のみでトータル余剰出力の吸収（充電及び／又は消費）を行う。かかる場合、電力系統の需給バランスを崩すことなく、発電装置６０を最大限に有効活用できる。
【０１１８】
一方、複数のエネルギー貯蔵装置３０を十分に確保できず、トータル余剰出力を十分に充電及び／又は消費できない（と推定または予測される）場合には、充電及び／又は消費できない電力分だけ発電装置６０の発電抑制（出力抑制）を行う。すなわち、エネルギー貯蔵装置３０と発電装置６０とで、トータル余剰出力の吸収（充電及び／又は消費、発電抑制（出力抑制））を行う。なお、エネルギー貯蔵装置３０によるトータル余剰出力の吸収（充電及び／又は消費）をできるだけ活用し、不足分のみを発電装置６０による吸収（発電抑制（出力抑制））で補うこととなる。
【０１１９】
以上、本実施形態によれば、電力系統の需給バランス維持を優先しつつ、可能な範囲で、発電装置６０を有効活用できる。
【０１２０】
＜第２の実施形態＞
本実施形態の制御装置１０は、抑制実施時間帯に、発電抑制制御情報の内容を変更すべきイベントの発生を検出することができる。そして、制御装置１０は、当該イベントの検出に応じて、新たな発電抑制制御情報を複数の発電装置６０に送信する。その結果、決定した（確保した）エネルギー貯蔵装置３０の容量を無駄なく利用することができる。また、電力系統の需給バランスを適切に保つことができる。以下、詳細に説明する。
【０１２１】
本実施形態の電力制御システムの貯蔵制御装置２０及びエネルギー貯蔵装置３０等の構成は、第１の実施形態と同様である。以下、制御装置１０及び発電装置６０の構成を説明する。
【０１２２】
図１２に、本実施形態の制御装置１０の機能ブロック図の一例を示す。図示するように、制御装置１０は、受信部１１１と、選択部１７と、残存余剰算出部１８と、送信部１９１と、イベント検出部１６とを有する。受信部１１１及び選択部１７の構成は、第１の実施形態と同様である。
【０１２３】
イベント検出部１６は、抑制実施時間帯に、発電抑制制御情報の内容を変更すべきイベントの発生を検出する。
【０１２４】
例えば、図９に示すように残存余剰電力量が発生している場合、イベント検出部１６は、第１の単位時間帯におけるトータル余剰出力量の実績が、残存余剰算出部１８により第１の単位時間帯に割り振られた「複数のエネルギー貯蔵装置３０で充電及び／又は消費する電力量（図９の「充電及び／又は消費する電力量（上限）」）」に満たないイベント（第１のイベント）を検出する。
【０１２５】
具体例を示す。図９に示す例の場合、各単位時間帯に残存余剰電力量が発生しており、１３時００から１３時３０分の単位時間帯に対応して決定された「複数のエネルギー貯蔵装置３０で充電及び／又は消費する電力量」は、５００ｋＷｈである。このような状況下で、１３時００から１３時３０分の単位時間帯におけるトータル余剰出力量の実績が５００ｋＷｈに満たなかった場合、イベント検出部１６は、それを発電抑制制御情報の内容を変更すべきイベントとして検出する。
【０１２６】
イベント検出部１６は、残存余剰算出部１８により決定された「複数の単位時間帯各々に複数のエネルギー貯蔵装置３０で充電及び／又は消費する電力量（図９の「充電及び／又は消費する電力量（上限）」）」を示す情報を予め保持しておく。そして、イベント検出部１６は、単位時間帯毎に、複数の発電装置６０各々の実測値に基づきトータル余剰出力量の実績を算出し、上記保持している情報と比較することで、上記第１のイベントを検出する。または、イベント検出部１６は、単位時間帯毎に、複数のエネルギー貯蔵装置３０各々が貯蔵した電力量の実測値に基づきトータル余剰出力量の実績を算出し、上記保持している情報と比較することで、上記第１のイベントを検出する。
【０１２７】
イベント検出部１６が検出するイベントの他の例を示す。イベント検出部１６は、制御装置１０から貯蔵制御装置２０へ至る通信経路の状態や、エネルギー貯蔵装置３０の状態（蓄電池の満充電や枯渇状態、ＳＯＣの値など）をモニタしており、抑制実施時間帯に、通信障害や、通信の大幅な遅延、又はエネルギー貯蔵装置３０の温度が異常に上昇するとか、過電流が生じるとか、電圧異常が生じるとか、エネルギー貯蔵装置３０が別目的で利用されてしまった等の影響で蓄エネ余力が無くなる等で、選択部１７により決定された複数のエネルギー貯蔵装置３０の一部が余剰吸収処理を実行できなくなるイベント（第２のイベント）を検出してもよい。余剰吸収処理を実行できなくなる原因は、他にも、例えば、エネルギー貯蔵装置３０の故障等が考えられるが、これに限定されない。
【０１２８】
イベント検出部１６は、例えば、余剰吸収処理を実行中のエネルギー貯蔵装置３０の動作を監視する監視装置から、第２のイベント発生を示す信号を取得してもよい。又は、制御装置１０のオペレータが、当該信号を制御装置１０に入力してもよい。そして、イベント検出部１６は、当該信号の取得により、第２のイベントを検出してもよい。例えば、各貯蔵制御装置２０が上記監視装置を有してもよい。
【０１２９】
残存余剰算出部１８は、イベント検出部１６によるイベント検出に応じて、残存余剰出力及び／又は残存余剰電力量を算出し直す。そして、残存余剰算出部１８は、その結果に基づき、複数の発電装置６０各々に対する発電抑制内容を決定し直す。
【０１３０】
例えば、イベント検出部１６が上記第１のイベントを検出した場合、残存余剰算出部１８は、第１のイベントが発生した単位時間帯（以下、「第１の単位時間帯」）に複数のエネルギー貯蔵装置３０で充電及び／又は消費するよう決定された電力量（図９の「充電及び／又は消費する電力量（上限）」）から、第１の単位時間帯におけるトータル余剰出力量の実績を引いた値（以下、「未利用容量」）を算出する。
【０１３１】
そして、残存余剰算出部１８は、第１の単位時間帯より後の単位時間帯に、上記未利用容量を割り振る。例えば、トータル余剰電力量が大きい単位時間帯に割り振ってもよい。又は、残存余剰電力量が大きい単位時間帯に割り振ってもよい。これにより、所定の単位時間帯に複数のエネルギー貯蔵装置３０で充電及び／又は消費するよう決定された電力量（図９の「充電及び／又は消費する電力量（上限）」）が、割り振られた分だけ増加する。残存余剰算出部１８は、このようにして、複数のエネルギー貯蔵装置３０で充電及び／又は消費する電力量を単位時間帯毎に決定し直す。なお、未利用容量を割り振るルールは設計的事項である。そして、残存余剰算出部１８は、新たに算出された各単位時間帯の残存余剰電力量に応じて、複数の発電装置６０の発電抑制内容を決定する。残存余剰電力量に応じて複数の発電装置６０の発電抑制内容を決定する方法は、上述の通りである。
【０１３２】
ここで、具体例を説明する。例えば、残存余剰算出部１８は、抑制実施時間帯の前に、図９に示すように、複数の単位時間帯各々に複数のエネルギー貯蔵装置３０で充電及び／又は消費する電力量を決定したとする。すなわち、１３時００分から１３時３０分、１３時３０分から１４時００分、及び、１４時００分から１４時３０分の単位時間帯においては、５００ｋＷｈが決定され、１４時３０分から１５時００分の単位時間帯においては、２００ｋＷｈ分が決定されている。
【０１３３】
そして、図１３に示すように、１３時００から１３時３０分の単位時間帯におけるトータル余剰出力量の実績は、２００ｋＷｈであったとする。この場合、残存余剰算出部１８は、上記未利用容量として、３００ｋＷｈ（＝５００ｋＷｈ−２００ｋＷｈ）を算出する。そして、残存余剰算出部１８は、３００ｋＷｈ分の容量を、以降の単位時間帯に割り振る。
【０１３４】
図１３の例の場合、残存余剰算出部１８は、１４時３０分から１５時００分の単位時間帯に、３００ｋＷｈ分の電力を割り振っている。結果、当該単位時間帯に複数のエネルギー貯蔵装置３０で充電及び／又は消費するよう決定された電力量は５００ｋＷｈとなり、残存余剰電力量は２００ｋＷｈとなる。
【０１３５】
なお、イベント検出部１６が上記第２のイベントを検出した場合には、残存余剰算出部１８は、余剰吸収処理を実行できる複数のエネルギー貯蔵装置３０を把握し、そのエネルギー貯蔵装置３０に基づいて、残存余剰出力及び／又は残存余剰電力量の算出や、複数の発電装置６０の発電抑制内容の決定を行う。これらの処理は、第１の実施形態で説明した残存余剰算出部１８の処理と同様にして実現できる。
【０１３６】
図１２に戻り、発電抑制制御情報送信部１９は、残存余剰算出部１８による残存余剰出力及び／又は残存余剰電力量の算出し直しに応じて、新たに決定された発電抑制制御情報を複数の発電装置６０各々に送信する。
【０１３７】
以上説明した本実施形態によれば、第１の実施形態と同様な作用効果を実現できる。
【０１３８】
また、予め所定の単位時間帯に複数のエネルギー貯蔵装置３０で充電及び／又は消費するよう決定した電力量に、実際のトータル余剰出力量が満たない場合、複数のエネルギー貯蔵装置３０の中に未利用の容量（未利用容量）が発生する。決定した（確保した）複数のエネルギー貯蔵装置３０のトータル容量が不足し、残存余剰電力量が発生している場合には、このような未利用容量を有効活用することで、発電装置６０をより有効活用できる。第１のイベントを検出したため、発電抑制量を減少させることができる。
【０１３９】
本実施形態によれば、このような状況の発生を検出し、検出内容に応じて、複数の発電装置６０に対する発電抑制内容を見直すことができる。結果、発電装置６０をより有効活用することができる。
【０１４０】
また、本実施形態によれば、決定した（確保した）複数のエネルギー貯蔵装置３０の一部に不具合が発生し、余剰吸収処理を実施できなくなった場合、それを検出し、検出内容に応じて、複数の発電装置６０に対する発電抑制内容を見直すことができる。この場合、例えば、複数の発電装置６０各々の発電抑制量を増やす方向に変更することができる。結果、電力系統への電力供給が過剰になる不都合を軽減できる。第２のイベントを検出したため、発電抑制量を増加する方向に変更することができる。
【０１４１】
このように、本実施形態によれば、所定のイベントを検出し、そのイベントに応じて複数の発電装置６０に対する発電抑制内容を見直すことで、決定した（確保した）エネルギー貯蔵装置３０の有効活用、発電装置６０の有効活用、電力系統の需給バランスの維持等を実現できる。
【０１４２】
＜第３の実施形態＞
本実施形態では、貯蔵制御装置２０及びエネルギー貯蔵装置３０の構成例を説明する。具体的には、複数の発電装置６０のトータル余剰出力を充電及び／又は消費する処理の具体例を説明する。なお、本実施形態によれば、発電装置６０から電力系統に余剰出力が逆潮流されたタイミングと、当該余剰出力分をエネルギー貯蔵装置３０で充電／消費するタイミングとのタイムラグを小さくすることができる。以下、説明する。
【０１４３】
発電装置６０の構成は、第１及び第２の実施形態と同様である。以下、制御装置１０及び貯蔵制御装置２０の構成を説明する。図１４に、制御装置１０の機能ブロック図の一例を示す。図示するように、制御装置１０は、受信部１１１と、余剰算出部１２と、負担係数決定部１３と、選択部１７と、残存余剰算出部１８と、送信部１９１とを有する。さらに、イベント検出部１６を有してもよい。受信部１１１は、指令取得部１１を有する。送信部１９１は、余剰通知部１４と、負担係数通知部１５と、発電抑制制御情報送信部１９とを有する。残存余剰算出部１８は、第１算出部１８１と、第２算出部１８２とを有する。なお、余剰通知部１４、負担係数通知部１５及び発電抑制制御情報送信部１９は、同じ通信部を介して通信を行うことができる。
【０１４４】
受信部１１１、イベント検出部１６、選択部１７、残存余剰算出部１８及び発電抑制制御情報送信部１９の構成は、第１及び第２の実施形態と同様である。
【０１４５】
負担係数決定部１３は、選択部１７により余剰吸収処理を実行する装置として決定された複数のエネルギー貯蔵装置３０各々に対応して、余剰吸収処理の負担割合を示す負担係数を決定する。負担係数決定部１３は、余剰吸収処理が開始される前に、負担係数を決定する。負担係数決定部１３は、例えば、以下のような方法で負担係数を決定する。
【０１４６】
第１の実施形態で説明したように、複数のエネルギー貯蔵装置３０各々を管理するユーザは、余剰吸収処理におけるエネルギー貯蔵装置３０の利用条件を定めることができる。利用条件は、余剰吸収処理で利用可能な出力上限（Ｗ）や、余剰吸収処理で利用可能な容量上限（Ｗｈ）等である。
【０１４７】
負担係数決定部１３は、例えば、このような利用条件や、各エネルギー貯蔵装置３０の設計（図５参照）に基づき、負担係数を決定する。例えば、利用可能な出力上限や利用可能な容量上限が大きいエネルギー貯蔵装置３０に対して、より重い負担割合となる負担係数、すなわちより大きい負担係数を決定する。具体的な算出方法は設計的事項である。
【０１４８】
負担係数は、トータル余剰出力に対する各エネルギー貯蔵装置３０の負担割合を示す。負担係数は、百分率で示されてもよい。当該例の場合、例えば「０．０５」の負担係数を決定されたエネルギー貯蔵装置３０は、余剰吸収処理の間、トータル余剰出力の５％の出力で、充電及び／又は消費することとなる。
【０１４９】
その他、負担係数は、上記百分率の値を規格化した値であってもよい。例えば、上記百分率の値に、所定値Ｎ（トータル余剰出力（Ｗ）の上限値以上の値）を掛けた値を、負担係数としてもよい。
【０１５０】
負担係数決定部１３は、抑制実施時間帯の単位時間帯毎に、負担係数を決定することができる。
【０１５１】
図１４に戻り、負担係数通知部１５は、負担係数決定部１３が決定したエネルギー貯蔵装置３０各々の負担係数を、エネルギー貯蔵装置３０各々の動作を制御する複数の貯蔵制御装置２０各々に送信する。負担係数は、当該負担係数が有効な余剰吸収処理を識別可能な情報と対応付けて送信されてもよい。例えば、「２０１５年１２月４日１３時〜１５時」のように、有効期間や時刻と対応付けて送信されてもよい。
【０１５２】
負担係数の送信タイミングは、負担係数決定部１３による決定後、かつ、余剰吸収処理の開始前における任意のタイミングである。
【０１５３】
なお、負担係数通知部１５は、複数の貯蔵制御装置２０各々に、各エネルギー貯蔵装置３０各々に対応する内容の負担係数を順次送信する。
【０１５４】
余剰算出部１２は、抑制実施時間帯に、複数の発電装置６０各々の発電実測値に基づき、トータル余剰出力を繰り返し算出する。トータル余剰出力（Ｗ）は、「複数の発電装置６０各々の発電出力（Ｗ）の実測値の合計」が「複数の発電装置６０各々の上限発電出力（Ｗ）の合計」を超えた分である。
【０１５５】
図２０に、余剰算出部１２の機能ブロック図の一例を示す。図示するように、余剰算出部１２は、第１加算部１２１と、減算部１２２と、特定部１２３と、第２加算部１２４とを有する。
【０１５６】
まず、受信部１１１（図３参照）は、複数の発電装置６０各々から、それぞれの発電状況に関する発電関連情報（発電出力：実測値）を所定周期Ｔ１ａごとに受信する。
【０１５７】
例えば、複数の発電装置６０各々は、抑制実施時間帯に、リアルタイム処理で、所定の時間間隔（例：４００ｍｓｅｃ）で測定された各発電装置６０の発電出力（瞬時値（Ｗ））のデータを繰り返し取得する。そして、複数の発電装置６０各々は、当該測定値を、上記時間間隔よりも長い周期Ｔ１ａ（例：１０ｓｅｃ）で、制御装置１０に繰り返し送信する。例えば、発電装置６０は、周期Ｔ１ａの間に得られた複数の測定値の代表値（例：平均値、最大値、最小値、最頻値、中間値等）を、制御装置１０に送信する。
【０１５８】
複数の発電装置６０は、互いの送信データが輻輳しないようにするため、上記周期Ｔ１ａよりも小さい時間ずつタイミングをずらして、測定値を制御装置１０に送信する。
【０１５９】
第１加算部１２１は、受信部１１１が受信した発電関連情報を取得する。そして、第１加算部１２１は、複数の発電装置６０の発電出力（実測値）の合計を算出する。第１加算部１２１は、例えば上記周期Ｔ１ａと同じ周期で、繰り返し、「複数の発電装置６０各々による発電出力（発電電力実測値）の合計」を算出する。
【０１６０】
特定部１２３は、指令取得部１１が取得した発電抑制指令を取得する。その後、特定部１２３は、各発電装置６０の上限発電出力（Ｗ）を特定する。発電抑制指令を受けている発電装置６０の上限発電出力は、発電抑制指令で定められている上限発電出力である。発電抑制指令を受けていない発電装置６０の上限発電出力は、例えば定格出力である。第２加算部１２４は、複数の発電装置６０の上限発電出力の合計を算出する。
【０１６１】
なお、特定部１２３は、発電抑制指令で定められている単位時間帯毎に複数の発電装置６０各々の上限発電出力を特定してもよい。そして、第２加算部１２４は、単位時間帯毎に、「複数の発電装置６０各々の上限発電出力の合計」を算出してもよい。
【０１６２】
減算部１２２は、第１加算部１２１が算出した複数の発電装置６０の発電出力（実測値）の合計と、第２加算部１２４が算出した複数の発電装置６０の上限発電出力の合計との差（トータル余剰出力）を所定周期Ｔ１で繰り返し算出する。なお、第２加算部１２４が単位時間帯毎に「複数の発電装置６０各々による上限発電出力の合計」を算出している場合、減算部１２２は、対応する時間帯の「複数の発電装置６０各々による上限発電出力の合計」を用いて、トータル余剰出力を算出する。
【０１６３】
余剰通知部１４は、抑制実施時間帯に、トータル余剰出力を示す余剰出力情報を、複数の貯蔵制御装置２０に繰り返し送信する。余剰出力情報は、余剰算出部１２により算出されたトータル余剰出力（Ｗ）そのものの値であってもよいし、当該値を規格化した値であってもよい。例えば、トータル余剰出力（Ｗ）を所定値Ｎ（トータル余剰出力（Ｗ）の上限値以上の値。例えば、抑制対象の全発電装置６０の定格出力合計−上限発電出力合計。）で割った値を、規格化した値としてもよい。当該所定値Ｎは、上述した負担係数の規格化に用いた所定値Ｎと同じ値である。
【０１６４】
余剰通知部１４は、余剰算出部１２により上記周期Ｔ１で繰り返し算出されたトータル余剰出力を示す余剰出力情報を、同周期で繰り返し貯蔵制御装置２０に送信する。
【０１６５】
なお、複数の貯蔵制御装置２０に送信する情報は同じ内容である。このため、余剰通知部１４は、貯蔵制御装置２０に対して、余剰出力情報を一斉送信することができる。一斉送信の実現手段としては、例えばブロードキャストやマルチキャスト等を例示できるが、これに限定されない。
【０１６６】
次に、貯蔵制御装置２０の構成について説明する。図１５に、貯蔵制御装置２０の機能ブロック図の一例を示す。図示するように、貯蔵制御装置２０は、負担係数受信部２１と、余剰受信部２２と、充電電力決定部２３と、動作制御部２４とを有する。なお、負担係数受信部２１と余剰受信部２２は、同じ通信部を介して通信を行うことができる。
【０１６７】
図２１に、貯蔵制御装置２０の機能ブロック図の他の一例を示す。図示する貯蔵制御装置２０は、負担係数受信部２１と、余剰受信部２２と、充電電力決定部２３と、動作制御部２４と、監視装置２５とを有する。
【０１６８】
負担係数受信部２１は、余剰吸収処理の開始前に、負担係数通知部１５が複数の貯蔵制御装置２０各々に向けて個別に送信した負担係数を受信する。
【０１６９】
余剰受信部２２は、抑制実施時間帯に、余剰通知部１４が複数の貯蔵制御装置２０に一斉送信した余剰出力情報を受信する。余剰受信部２２は、余剰通知部１４が上記周期Ｔ１で繰り返し送信した余剰出力情報を、繰り返し受信する。
【０１７０】
充電電力決定部２３は、負担係数受信部２１が受信した負担係数と、余剰受信部２２が受信した最新の余剰出力情報とに基づき、トータル余剰出力の電力を充電及び／又は消費するエネルギー貯蔵装置３０の充電電力及び／又は消費電力を決定する。充電電力決定部２３は、余剰受信部２２が繰り返し余剰出力情報を受信すると、それに応じて繰り返し、充電電力及び／又は消費電力を決定する。
【０１７１】
例えば、負担係数が、トータル余剰出力に対する各エネルギー貯蔵装置３０の負担割合を百分率で示すもの（例：「０．０５」）であり、余剰出力情報がトータル余剰出力そのものの値（Ｗ）である場合、充電電力決定部２３は、トータル余剰出力と負担係数との積を、充電電力（Ｗ）／消費電力（Ｗ）として決定することができる。負担係数を所定値Ｎで規格化している上記例の場合も同様に、充電電力決定部２３は、トータル余剰出力を示す情報（トータル余剰出力を規格化した値）と負担係数の積を、充電電力（Ｗ）／消費電力（Ｗ）として決定することができる。
【０１７２】
動作制御部２４は、エネルギー貯蔵装置３０を制御し、抑制実施時間帯に余剰吸収処理を実行させる。動作制御部２４は、充電電力決定部２３が決定した充電電力及び／又は消費電力で、エネルギー貯蔵装置３０に充電及び／又は消費させる。上述の通り、充電電力決定部２３は、抑制実施時間帯の間、充電電力及び／又は消費電力を繰り返し決定する。充電電力決定部２３が新たな充電電力及び／又は消費電力を決定すると、動作制御部２４は新たに決定された充電電力及び／又は消費電力で、エネルギー貯蔵装置３０に充電及び／又は消費させる。
【０１７３】
監視装置２５は、エネルギー貯蔵装置３０の状態を示す状態情報を取得（検出、測定）し、制御装置１０に繰り返し送信する。状態情報は、例えば、ＳＯＣ、空き容量（Ｗｈ）、充電量（Ｗｈ）、電圧、電流、温度、蓄エネ量、エラー情報等である。
【０１７４】
次に、図１６のシーケンス図を用いて、本実施形態の電力制御システムの処理の流れの一例を説明する。
【０１７５】
まず、送配電事業者システムは、例えば、翌日の属性情報（例：気象予報、年月日、曜日、行事等）に基づき、翌日１日分の電力需要予測及び電力系統に接続された発電装置６０による発電予測等を行う。そして、これらの予測に基づき、発電抑制の必要性、発電抑制を実施すべき時間帯、実施すべき地域、実施対象とする発電装置６０、抑制するトータル量（単位時間帯毎）、各発電装置６０の抑制量（単位時間帯毎）等を決定する。そして、送配電事業者システムは、翌日分の発電抑制指令を、所定のタイミング（例：前日の所定時刻）で、所定の対象に送信する。
【０１７６】
発電抑制指令は、抑制実施時間帯、及び、単位時間帯毎の上限発電出力を含む（図６及び図７参照）。
【０１７７】
図１６のシーケンス図では、送配電事業者システムは、制御装置１０に登録されている複数の発電装置６０に対する発電抑制指令を、制御装置１０に送信している。このような送信例において、図７に示すような複数の発電装置６０に共通の発電抑制指令が送信される場合、送配電事業者システムは、発電抑制指令に加えて、発電抑制指令の対象となる発電装置６０を識別する情報を、制御装置１０に送信する。
【０１７８】
なお、送配電事業者システムは、発電抑制対象の複数の発電装置６０各々に、発電抑制指令を送信してもよい。この場合、発電装置６０各々から制御装置１０に発電抑制指令が送信され、それにより制御装置１０が発電抑制指令内容を把握する。
【０１７９】
Ｓ１１では、制御装置１０は、Ｓ１０で取得した発電抑制指令に対する余剰吸収処理に参加するエネルギー貯蔵装置３０を決定する。決定する処理の具体例は上述の通りである。
【０１８０】
例えば、制御装置１０は、登録されている複数のエネルギー貯蔵装置３０各々を管理するユーザに対して、余剰吸収処理への参加を募集してもよい。そして、制御装置１０は、参加を表明したユーザのエネルギー貯蔵装置３０を、余剰吸収処理に参加するエネルギー貯蔵装置３０として決定してもよい。なお、Ｓ１０とＳ１１の順番は入れ替わっても良い。
【０１８１】
Ｓ１２では、制御装置１０は、Ｓ１０で取得した発電抑制指令、及び、Ｓ１１での決定内容に基づき、決定されたエネルギー貯蔵装置３０で充電及び／又は消費できない残存余剰出力及び／又は残存余剰電力量を算出する。当該算出する処理の具体例は、上述の通りである。
【０１８２】
また、制御装置１０は、残存余剰出力及び／又は残存余剰電力量がある場合、算出した残存余剰出力分及び／又は残存余剰電力量分の発電を抑制させるための発電抑制制御情報を発電装置６０ごとに生成する。当該処理の具体例は、上述の通りである。
【０１８３】
Ｓ１３では、制御装置１０は、Ｓ１１で決定したエネルギー貯蔵装置３０各々に対する負担係数を決定する。負担係数を決定する処理の具体例は上述の通りである。なお、制御装置１０は、抑制実施時間帯の単位時間帯毎に、複数の貯蔵制御装置２０各々の負担係数を決定することができる。
【０１８４】
Ｓ１４では、制御装置１０は、複数の発電装置６０各々に対して、Ｓ１２で生成された発電抑制制御情報を送信する。制御装置１０は、複数の発電装置６０に抑制実施時間帯を通知してもよい。
【０１８５】
なお、残存余剰出力及び／又は残存余剰電力量が「０」である場合、制御装置１０は、Ｓ１４で発電抑制制御情報を送信しなくてもよい。又は、残存余剰出力及び／又は残存余剰電力量が「０」である旨を示す発電抑制制御情報を送信してもよい。
【０１８６】
Ｓ１５では、制御装置１０は、制御対象のエネルギー貯蔵装置３０各々を制御する貯蔵制御装置２０に対して、Ｓ１３で決定した複数のエネルギー貯蔵装置３０各々の負担係数を送信する。
【０１８７】
ここまでは、Ｓ１０で取得した発電抑制指令で特定される抑制実施時間帯よりも前に行われる。なお、発電抑制指令Ｓ１０のプロセスは、事前というよりも、リアルタイムに１分毎に通知されるとか、数秒毎に通知される場合も想定される。よって、Ｓ１５は、抑制実施時間帯よりも前に行われるのが好ましいが、抑制実施時間帯の冒頭に行われてもよい。Ｓ１５は、リアルタイムに抑制時間帯（１分毎とか数秒毎とか）毎に発電抑制指令がくる場合、複数回の抑制時間帯に対する負担係数(同じ係数でも良い)を決定してもよい。
【０１８８】
以下で説明するＳ１６乃至Ｓ２１は、抑制実施時間帯に行われる。Ｓ２１では、複数の発電装置６０各々は、発電抑制制御情報に基づいた発電抑制（出力抑制）を行う。なお、発電抑制制御情報を受信していない場合、又は、残存余剰出力及び／又は残存余剰電力量が「０」である旨を示す発電抑制制御情報を受信した場合、発電装置６０は、抑制実施時間帯においても発電抑制（出力抑制）を行うことなく、発電を継続する。
【０１８９】
以下で説明するＳ１６乃至Ｓ２０は、抑制時間帯の間、繰り返し実行される。
【０１９０】
Ｓ１６では、複数の発電装置６０各々は、周期Ｔ１で、発電装置６０の発電実測値（瞬時値（Ｗ））を繰り返し制御装置１０に送信する。例えば、周期Ｔ１よりも小さい測定間隔（例：４００ｍｓｅｃ）で発電装置６０の出力（Ｗ）が測定され、周期Ｔ１の間に得られた複数の測定値（Ｗ）の代表値（例：平均値、最大値、最小値、最頻値、中間値、周期Ｔ１間の積算値等）が制御装置１０に送信される。
【０１９１】
複数の発電装置６０は、互いの送信データが輻輳しないようにするため、上記周期Ｔ１よりも小さい時間ずつタイミングをずらして、発電実測値を送信する。
【０１９２】
Ｓ１７では、制御装置１０は、上記周期Ｔ１で、トータル余剰出力を繰り返し算出する。トータル余剰出力は、Ｓ１６で繰り返し取得される複数の発電装置６０各々の発電実測値に基づき算出される。トータル余剰出力の算出方法は、上述の通りである。
【０１９３】
Ｓ１８では、制御装置１０は、トータル余剰出力を示す余剰出力情報を、上記周期Ｔ１で、複数の貯蔵制御装置２０に繰り返し送信する。制御装置１０は、マルチキャスト等の手段を用いて、余剰出力情報を複数の貯蔵制御装置２０に一斉送信することができる。
【０１９４】
Ｓ１９では、複数の貯蔵制御装置２０各々は、Ｓ１５で受信した負担係数と、Ｓ１８で繰り返し受信する余剰出力情報（最新の余剰出力情報）とに基づき、余剰吸収処理における各貯蔵制御装置２０の充電電力及び／又は消費電力を繰り返し決定する。貯蔵制御装置２０は、新たな余剰出力情報を取得するたびに、新たな余剰出力情報に基づき、新たな充電電力及び／又は消費電力を決定する。
【０１９５】
例えば、負担係数が、トータル余剰出力に対する各エネルギー貯蔵装置３０の負担割合を百分率で示すもの（例：「０．０５」）であり、余剰出力情報がトータル余剰出力そのものの値（Ｗ）である場合、充電電力決定部２３は、トータル余剰出力と負担係数との積を、充電電力（Ｗ）／消費電力（Ｗ）として決定することができる。
【０１９６】
なお、抑制実施時間帯の単位時間帯毎に負担係数が決定されている場合、貯蔵制御装置２０は、現在時刻に対応する単位時間帯の負担係数を用いて、充電電力及び／又は消費電力を決定する。
【０１９７】
Ｓ２０では、複数の貯蔵制御装置２０各々は、Ｓ１９で決定された最新の充電電力及び／又は消費電力で充電及び／又は消費するよう、複数のエネルギー貯蔵装置３０各々を制御する。
【０１９８】
次に、図１６の流れに沿って、具体的な事例を説明する。
【０１９９】
Ｓ１０で、制御装置１０は、発電抑制指令を取得する。ここでは、制御装置１０は、定格出力５００ｋＷの１０台の発電装置６０と、定格出力４００ｋＷの５台の発電装置６０に対して、図７に示すような発電抑制指令を取得したとする。この場合、図８に示すように、各単位時間帯のトータル余剰出力（Ｗ）の上限とトータル余剰出力量（Ｗｈ）の上限とが算出される。算出方法は、上述の通りである。
【０２００】
次に、Ｓ１１で、制御装置１０は、当該発電抑制指令に対する余剰吸収処理に参加するエネルギー貯蔵装置３０を決定する。ここでは、出力５ｋＷ、容量６ｋＷｈ分を余剰吸収処理で利用可能な２００台のエネルギー貯蔵装置３０と、出力４ｋＷ、容量５ｋＷｈ分を余剰吸収処理で利用可能な１００台のエネルギー貯蔵装置３０とを決定（確保）したとする。この場合、図９に示すように、決定された複数のエネルギー貯蔵装置３０のトータル出力は１４００ｋＷとなり、トータル容量は１７００ｋＷｈとなる。
【０２０１】
次に、Ｓ１２で、制御装置１０は、単位時間帯毎に残存余剰出力及び／又は残存余剰電力量を算出する。また、制御装置１０は、残存余剰出力及び／又は残存余剰電力量がある場合、算出した残存余剰出力分及び／又は残存余剰電力量分の発電を抑制させるための発電抑制制御情報を発電装置６０ごとに生成する。ここでは、図９に示すように算出、決定されたとする。この算出、決定の手法は、上述の通りである。
【０２０２】
Ｓ１３では、制御装置１０は、複数のエネルギー貯蔵装置３０各々の負担係数を算出する。ここでは、決定した３００台のエネルギー貯蔵装置３０の負担割合を均等にするものとする。かかる場合、３００台のエネルギー貯蔵装置３０各々の負担割合（百分率）は１／３００となる。この値を負担係数としてもよいが、ここでは、当該値を規格化した値を負担係数とする。
【０２０３】
図１７では、各単位時間帯の負担係数として、上記負担割合（百分率）に各単位時間帯のトータル余剰出力（Ｗ）の上限を掛けた規格値を示している。なお、エネルギー貯蔵装置３０ごとに異なる負担係数が決定されてもよい。
【０２０４】
Ｓ１４では、制御装置１０は、Ｓ１２での決定内容に基づき、複数の発電装置６０に発電抑制制御情報を送信する。ここでは、図９に示される単位時間帯毎の出力上限（定格出力に対する割合）が送信される。
【０２０５】
Ｓ１５では、制御装置１０は、Ｓ１３で決定された負担係数を、複数の貯蔵制御装置２０各々に送信する。
【０２０６】
Ｓ２１では、発電装置６０は、Ｓ１４で受信した発電抑制制御情報に基づき、発電抑制（出力抑制）を行う。図９に示される単位時間帯毎の出力上限（定格出力に対する割合）を取得した発電装置６０は、各単位時間帯の出力を、図９に示される出力上限以下に制御する。
【０２０７】
Ｓ１６では、複数の発電装置６０各々は、周期Ｔ１で、発電実測値（瞬時値（Ｗ））を繰り返し制御装置１０に送信する。
【０２０８】
Ｓ１７では、制御装置１０は、Ｓ１６で受信したデータに基づき、上記周期Ｔ１で、トータル余剰出力を繰り返し算出する。
【０２０９】
Ｓ１８では、制御装置１０は、トータル余剰出力に関する余剰出力情報を送信する。ここでは、制御装置１０は、Ｓ１７で算出したトータル余剰出力を、各単位時間帯のトータル余剰出力上限（図１７参照）で割った値（規格化値）を、余剰出力情報として送信する。制御装置１０は、マルチキャスト等の手段を用いて、余剰出力情報を複数の貯蔵制御装置２０に一斉送信することができる。
【０２１０】
Ｓ１９では、複数の貯蔵制御装置２０各々は、Ｓ１５で受信した負担係数と、Ｓ１８で繰り返し受信する余剰出力情報（最新の余剰出力情報）とに基づき、余剰吸収処理における各貯蔵制御装置２０の充電電力及び／又は消費電力を決定する。具体的には、貯蔵制御装置２０は、規格化された負担係数と、規格化されたトータル余剰出力（余剰出力情報）との積を、充電電力及び／又は消費電力として決定する。貯蔵制御装置２０は、新たな余剰出力情報を取得するたびに、新たな余剰出力情報に基づき、新たな充電電力及び／又は消費電力を決定する。
【０２１１】
Ｓ２０では、複数の貯蔵制御装置２０各々は、Ｓ１９で決定された最新の充電電力及び／又は消費電力で充電及び／又は消費するよう、複数のエネルギー貯蔵装置３０各々を制御する。
【０２１２】
本実施形態によれば、第１及び第２の実施形態と同様な作用効果を実現できる。また、本実施形態によれば、以下のような作用効果を実現できる。
【０２１３】
図１８に示すように、本実施形態の電力制御システムは、広域に分散する発電側装置群（発電装置６０等）と、サーバ（制御装置１０）と、広域に分散する充電及び／又は消費側装置群（貯蔵制御装置２０、エネルギー貯蔵装置３０等）とを含んで構成される。
【０２１４】
かかる場合、図示するように、複数の発電側装置各々の計測、及び、各々からサーバへのデータ送信による計測・通信遅延Δｔ１が発生する。また、サーバでの演算処理による処理遅延Δｔ２が発生する。さらに、サーバから複数の充電及び／又は消費側装置へのデータ送信による通信・応答遅延Δｔ３が発生する。
【０２１５】
これらの遅延により、発電装置６０から電力系統に余剰出力が逆潮流されたタイミングと、当該余剰出力分をエネルギー貯蔵装置３０で充電及び／又は消費するタイミングとのタイムラグが大きくなる。
【０２１６】
本実施形態の電力制御システムによれば、通信・応答遅延Δｔ３を縮小することができる。以下、説明する。
【０２１７】
本実施形態では、制御装置１０（サーバ）は、抑制実施時間帯よりも前に、複数のエネルギー貯蔵装置３０各々の負担係数を決定し、複数の貯蔵制御装置２０（充電及び／又は消費側装置群）各々に送信する。そして、抑制実施時間帯においては、制御装置１０は、複数の貯蔵制御装置２０に対して同じデータ（余剰出力情報）を繰り返し送信する。
【０２１８】
負担係数は抑制実施時間帯の前に送信されるため、通信・応答遅延Δｔ３に関係しない。また、複数の貯蔵制御装置２０に送信される余剰出力情報の内容は同じであるため、制御装置１０は、複数の貯蔵制御装置２０に対して余剰出力情報を一斉送信することができる。結果、複数の貯蔵制御装置２０に対して順次個別に所定のデータを送信する場合に比べて、通信・応答遅延Δｔ３を縮小することができる。
【０２１９】
また、本実施形態の電力制御システムによれば、処理遅延Δｔ２を縮小することができる。以下、説明する。
【０２２０】
本実施形態の電力制御システムにおいては、抑制実施時間帯の間、「発電実測値に基づき、トータル余剰出力を算出する演算処理」及び「算出されたトータル余剰出力に基づき、各エネルギー貯蔵装置３０の充電及び／又は消費電力を決定する演算処理」を行う必要がある。
【０２２１】
本実施形態では、制御装置１０が「発電実測値に基づき、トータル余剰出力を算出する演算処理」を行い、複数の貯蔵制御装置２０各々が「算出されたトータル余剰出力に基づき、各エネルギー貯蔵装置３０の充電及び／又は消費電力を決定する演算処理」を行う。
【０２２２】
すなわち、「算出されたトータル余剰出力に基づき、各エネルギー貯蔵装置３０の充電及び／又は消費電力を決定する演算処理」は、複数の貯蔵制御装置２０で分担する。そして、複数の貯蔵制御装置２０各々は、対応するエネルギー貯蔵装置３０の充電及び／又は消費電力のみを決定する。このため、当該演算処理をエネルギー貯蔵装置３０毎に分けて、並列的に進めることができる。
【０２２３】
結果、制御装置１０が両方の演算処理を行う場合に比べて、処理遅延Δｔ２を縮小することができる。
【０２２４】
また、本実施形態によれば、負担係数と、余剰出力情報で示される値とを掛け合わせるという簡単な演算により、各エネルギー貯蔵装置３０の充電及び／又は消費電力を決定することができる。このため、複数の貯蔵制御装置２０各々による演算処理で発生する遅延の増大を軽減できる。
【０２２５】
＜第４の実施形態＞
本実施形態の電力制御システムは、制御装置１０及び発電装置６０の特徴的な構成により、図１８を用いて説明した処理遅延Δｔ２のさらなる縮小を実現する。貯蔵制御装置２０及びエネルギー貯蔵装置等のその他の構成は、第３の実施形態と同様である。以下、発電装置６０及び制御装置１０の構成を説明する。
【０２２６】
複数の発電装置６０各々は、発電抑制指令を取得する。例えば、制御装置１０が、送配電事業者システムから取得した発電抑制指令を、各発電装置６０に送信してもよい。その他、送配電事業者システムが、各発電装置６０に発電抑制指令を送信してもよい。いずれにおいても、抑制実施時間帯の前に当該送信が行われる。
【０２２７】
複数の発電装置６０各々は、抑制実施時間帯に、発電実測値（Ｗ）と、発電抑制指令で特定される単位時間帯毎の上限発電出力（Ｗ）に基づき、余剰出力（Ｗ）を繰り返し算出する。余剰出力は、発電実測値の中の上限発電出力以上の出力部分である。なお、発電装置６０各々の発電出力の実測値が、発電装置６０各々の上限発電出力未満の値の時は、上限発電出力との差分を負の値として計算し、負の余剰出力とする。
【０２２８】
例えば、複数の発電装置６０各々は、抑制実施時間帯に、所定の測定間隔（例：４００ｍｓｅｃ）で発電出力（瞬時値（Ｗ））を繰り返し測定する。そして、複数の発電装置６０各々は、実測値に基づき、繰り返し、余剰出力を算出する。そして、複数の発電装置６０各々は、算出した余剰出力を、周期Ｔ１（例：上記測定間隔よりも長い時間間隔（数秒）、又は、上記測定間隔と同じ時間間隔）で、制御装置１０に繰り返し送信する。
【０２２９】
周期Ｔ１が上記測定間隔よりも長い時間間隔である場合、発電装置６０は、周期Ｔ１の間に得られた複数の測定値の代表値（例：平均値、最大値、最小値、最頻値、中間値、周期Ｔ１間の積算値等）を用いて、制御装置１０に送信する余剰出力を算出してもよい。
【０２３０】
図２３に、発電装置６０の機能ブロック図の一例を示す。受信部６０１は、発電抑制指令を受信する。減算部６０２は、発電実績値から上限発電出力を減算することで、余剰出力を繰り返し算出する。上限発電出力は、発電抑制指令に基づき特定される。送信部６０３は、減算部６０２が算出した余剰出力を繰り返し制御装置１０に送信する。
【０２３１】
制御装置１０の機能ブロック図の一例は、第３の実施形態同様、図１４で示される。図示するように、制御装置１０は、受信部１１１と、余剰算出部１２と、負担係数決定部１３と、選択部１７と、残存余剰算出部１８と、送信部１９１とを有する。さらに、イベント検出部１６を有してもよい。受信部１１１は、指令取得部１１を有する。送信部１９１は、余剰通知部１４と、負担係数通知部１５と、発電抑制制御情報送信部１９とを有する。残存余剰算出部１８は、第１算出部１８１と、第２算出部１８２とを有する。なお、余剰通知部１４、負担係数通知部１５及び発電抑制制御情報送信部１９は、同じ通信部を介して通信を行うことができる。
【０２３２】
受信部１１１、イベント検出部１６、選択部１７、残存余剰算出部１８、発電抑制制御情報送信部１９、負担係数決定部１３、余剰通知部１４及び負担係数通知部１５の構成は、第１乃至第３の実施形態と同様である。
【０２３３】
余剰算出部１２は、複数の発電装置６０各々から、余剰出力を示す情報を受信する。そして、余剰算出部１２は、複数の発電装置６０各々の余剰出力を足し合わせることで、トータル余剰出力を算出する。
【０２３４】
以上説明した本実施形態によれば、第１乃至第３の実施形態と同様な作用効果を実現できる。また、本実施形態によれば、図１８を用いて説明した処理遅延Δｔ２を縮小することができる。
【０２３５】
トータル余剰出力を算出するには、「各発電装置６０の余剰出力を算出する処理」、及び、「各発電装置６０の余剰出力を足し合わせる処理」を行う必要がある。
【０２３６】
本実施形態では、複数の発電装置６０各々が「各発電装置６０の余剰出力を算出する処理」を行い、制御装置１０が「各発電装置６０の余剰出力を足し合わせる処理」を行う。すなわち、「各発電装置６０の余剰出力を算出する処理」は、複数の発電装置６０で分担する。
【０２３７】
このため、制御装置１０が両方の演算処理を行う場合に比べて、処理遅延Δｔ２を縮小することができる。
【０２３８】
＜第５の実施形態＞
本実施形態の電力制御システムは、制御装置１０が、過去のトータル余剰出力に基づき、次周期分のトータル余剰出力を予測し、予測したトータル余剰出力を、複数の貯蔵制御装置２０に送信する機能を有する。貯蔵制御装置２０、エネルギー貯蔵装置３０及び発電装置６０等のその他の構成は、第１乃至第４の実施形態と同様である。
【０２３９】
制御装置１０の機能ブロック図の一例は、第３及び第４の実施形態同様、図１４で示される。図示するように、制御装置１０は、受信部１１１と、余剰算出部１２と、負担係数決定部１３と、選択部１７と、残存余剰算出部１８と、送信部１９１とを有する。さらに、イベント検出部１６を有してもよい。受信部１１１は、指令取得部１１を有する。送信部１９１は、余剰通知部１４と、負担係数通知部１５と、発電抑制制御情報送信部１９とを有する。残存余剰算出部１８は、第１算出部１８１と、第２算出部１８２とを有する。なお、余剰通知部１４、負担係数通知部１５及び発電抑制制御情報送信部１９は、同じ通信部を介して通信を行うことができる。
【０２４０】
受信部１１１、イベント検出部１６、選択部１７、残存余剰算出部１８、発電抑制制御情報送信部１９、負担係数決定部１３及び負担係数通知部１５の構成は、第１乃至第４の実施形態と同様である。
【０２４１】
余剰算出部１２は、新たに算出したトータル余剰出力と、それ以前に算出したトータル余剰出力とに基づき、次周期のトータル余剰出力の予測値を算出する。余剰算出部１２は、あらゆる予測方法を採用できる。
【０２４２】
例えば、あるトータル余剰出力を目的変数とし、その直前のＮ回分（Ｎは１以上の整数）のトータル余剰出力を算出順に並べた時系列データを説明変数とした複数の教師データで機械学習することで、予測モデルを作成してもよい。そして、新たに算出したトータル余剰出力を含むＮ回分のトータル余剰出力を算出順に並べた時系列データを当該予測モデルに入力することで、推定値を得てもよい。
【０２４３】
その他、ｔ１で新たに算出したトータル余剰出力と、その直前のｔ０で算出したトータル余剰出力とを用いて、横軸に時間、縦軸にトータル余剰出力を取ったグラフにおける直線式（予測式）を算出してもよい。そして、当該直線式に、次周期時の時間ｔ２を入力することで、推定値を得てもよい。
【０２４４】
余剰通知部１４は、余剰算出部１２が算出したトータル余剰出力に代えて、余剰算出部１２が算出したトータル余剰出力に基づき算出された次周期のトータル余剰出力の予測値を、余剰出力情報として複数の貯蔵制御装置２０に送信する。
【０２４５】
以上説明した本実施形態によれば、第１乃至第４の実施形態と同様の作用効果を実現できる。また、本実施形態によれば、制御装置１０は、次周期分のトータル余剰出力を推定し、貯蔵制御装置２０に通知することができる。特に、余剰出力の推定を、複数の発電装置６０トータルの値に対して実施しているため、均し効果を期待することができ、急激な出力変動を緩和することができる。その結果、より正確な余剰出力の推定が可能となる。以上より、発電装置６０から電力系統に余剰出力が供給されたタイミングと、当該余剰出力分をエネルギー貯蔵装置３０で充電及び／又は消費するタイミングとのタイムラグの問題を軽減でき、タイムラグに伴う需給バランスの変動を十分に小さくすることができる。
【０２４６】
なお、第３及び第４の実施形態の構成を備えることができる本実施形態の場合、これらの実施形態で説明したように、処理遅延Δｔ２や、通信・応答遅延Δｔ３を縮小することができる。このため、発電装置６０の出力の測定から、測定値に基づいたエネルギー貯蔵装置３０の充電及び／又は消費電力の決定までの周期を縮小することができる。結果、次周期分のトータル余剰出力の予測がし易くなり、推定精度を高めることができる。
【０２４７】
＜第６の実施形態＞
本実施形態の電力制御システムの制御装置１０は、抑制実施時間帯に、複数のエネルギー貯蔵装置３０各々の状態を示す情報を繰り返し取得し、当該情報に基づき、複数のエネルギー貯蔵装置３０各々の負担係数を繰り返し決定する。そして、制御装置１０は、繰り返し決定した負担係数を各貯蔵制御装置２０に繰り返し送信する。なお、この負担係数の再決定処理には、十分長い計算時間が必要であるため、負担係数を送信する周期Ｔａは、余剰出力情報を送信する周期Ｔｂ（第３乃至第５の実施形態で説明した周期Ｔ１）よりも長い。
【０２４８】
エネルギー貯蔵装置３０及び発電装置６０等の構成は、第１乃至第５の実施形態と同様である。
【０２４９】
制御装置１０の機能ブロック図の一例は、図２２で示される。図示するように、制御装置１０は、受信部１１１と、余剰算出部１２と、負担係数決定部１３と、選択部１７と、残存余剰算出部１８と、送信部１９１とを有する。さらに、イベント検出部１６を有してもよい。受信部１１１は、指令取得部１１を有する。送信部１９１は、余剰通知部１４と、負担係数通知部１５と、発電抑制制御情報送信部１９とを有する。残存余剰算出部１８は、第１算出部１８１と、第２算出部１８２とを有する。負担係数決定部１３は取得部１３１を有する。なお、余剰通知部１４、負担係数通知部１５及び発電抑制制御情報送信部１９は、同じ通信部を介して通信を行うことができる。
【０２５０】
受信部１１１、イベント検出部１６、選択部１７、残存余剰算出部１８、発電抑制制御情報送信部１９、余剰算出部１２及び余剰通知部１４の構成は、第１乃至第５の実施形態と同様である。
【０２５１】
負担係数決定部１３は、抑制実施時間帯（エネルギー貯蔵装置３０が吸収処理を実行している間）に、複数のエネルギー貯蔵装置３０各々の負担係数を繰り返し決定する。
【０２５２】
負担係数決定部１３の取得部１３１は、複数のエネルギー貯蔵装置３０各々の状態を示す情報を取得する。例えば、受信部１１１が複数のエネルギー貯蔵装置３０各々の状態を示す情報を複数の貯蔵制御装置２０各々から繰り返し取得する。そして、取得部１３１は受信部１１１から当該情報を取得する。エネルギー貯蔵装置３０の状態を示す情報は、例えば、ＳＯＣ（State Of Charge）、空き容量（Ｗｈ）、充電量（Ｗｈ）、電圧、電流、温度、蓄エネ量、エラー情報等である。
【０２５３】
そして、負担係数決定部１３は、複数のエネルギー貯蔵装置３０各々の状態を示す情報（例：ＳＯＣ、空き容量（Ｗｈ）、充電量（Ｗｈ））に基づき、複数のエネルギー貯蔵装置３０各々の負担係数を再決定する。すなわち、負担係数決定部１３は、複数のエネルギー貯蔵装置３０各々の最新の状態に応じて、各々に適切な負担係数（負担割合）を再決定する。
【０２５４】
例えば、負担係数決定部１３は、ＳＯＣがより低いエネルギー貯蔵装置３０に対して、より大きい負担割合を決定してもよい。その他、負担係数決定部１３は、空き容量がより大きいエネルギー貯蔵装置３０に対して、より大きい負担割合を決定してもよい。負担係数決定部１３は、ＳＯＣ又は充電量（Ｗｈ）を受信した場合、当該情報と、予め登録されている各エネルギー貯蔵装置３０の定格容量とに基づき、各エネルギー貯蔵装置３０の空き容量（Ｗｈ）を算出してもよい。
【０２５５】
負担係数通知部１５は、抑制実施時間帯（エネルギー貯蔵装置３０が吸収処理を実行している間）に、複数のエネルギー貯蔵装置３０各々の負担係数を繰り返し複数の貯蔵制御装置２０に送信する。負担係数を送信する周期Ｔａは、余剰通知部１４による余剰出力情報送信の周期Ｔｂ（第３乃至第５の実施形態で説明した周期Ｔ１）よりも長い。Ｔａは、例えば数分から数十分であり、Ｔｂは、例えば数秒である。
【０２５６】
貯蔵制御装置２０の機能ブロック図の一例は、図１５で示される。図示するように、貯蔵制御装置２０は、負担係数受信部２１と、余剰受信部２２と、充電電力決定部２３と、動作制御部２４とを有する。余剰受信部２２及び動作制御部２４の構成は、第３乃至第５の実施形態と同様である。
【０２５７】
負担係数受信部２１は、抑制実施時間帯（エネルギー貯蔵装置３０が吸収処理を実行している間）に、対応するエネルギー貯蔵装置３０の負担係数を繰り返し受信する。負担係数を受信する周期Ｔａは、余剰受信部２２による余剰出力情報受信の周期Ｔｂ（第３乃至第５の実施形態で説明した周期Ｔ１）よりも長い。Ｔａは、例えば数分から数十分であり、Ｔｂは、例えば数秒である。
【０２５８】
充電電力決定部２３は、負担係数受信部２１が受信した最新の負担係数と、余剰受信部２２が受信した最新の余剰出力情報とに基づき、制御内容を決定する。すなわち、充電電力決定部２３は、第３乃至第第５の実施形態と同様の手法で、エネルギー貯蔵装置３０の充電電力及び／又は消費電力を決定する。
【０２５９】
以上説明した本実施形態によれば、第１乃至第５の実施形態と同様の作用効果を実現できる。また、本実施形態によれば、吸収処理を実行するエネルギー貯蔵装置３０各々の最新の状態に応じて、各エネルギー貯蔵装置３０の負担割合を決定することができる。
【０２６０】
エネルギー貯蔵装置３０の管理者が定めた利用条件により、例えば５ｋＷｈまで利用可能と定められていたとしても、放電し忘れ等により、エネルギー貯蔵装置３０に当該容量が確保されてないという状況が発生し得る。また、エネルギー貯蔵装置３０が吸収処理を実行していることを管理者が失念し、エネルギー貯蔵装置３０側の操作で充放電を制御してしまうことにより、上記容量を利用できないような状況が発生し得る。エネルギー貯蔵装置３０の過電圧や過電流、温度上昇等の状態異常、その他のエラー情報や、通信経路の断線によっても、上記容量を利用できないような状況が発生し得る。
【０２６１】
本実施形態によれば、管理者が定めた利用条件のみならず、各エネルギー貯蔵装置３０の最新の状態（例：ＳＯＣ）に基づき、抑制実施時間帯に負担係数を再決定することができる。このため、上述のような不測の状況が発生した場合であっても、当該状況に応じて負担係数（負担割合）を決定し直すことができる。結果、上述のような不測の状況が発生した場合であっても、適切にトータル余剰出力を吸収できる。
【０２６２】
また、本実施形態では、エネルギー貯蔵装置３０の状態を示す情報の取得、及び、負担係数の決定・送信の周期Ｔａを、余剰出力情報の送信周期Ｔｂよりも大きくすることができる。エネルギー貯蔵装置３０の状態は短時間で大きく変化しにくいため、このような比較的長い周期を設定することができる。エネルギー貯蔵装置３０の状態を検知する情報の送受信頻度や、負担係数の送受信頻度を抑えることで、システムの処理負担を軽減することができる。
【０２６３】
＜第７の実施形態＞
第１乃至第６の実施形態では、残存余剰出力及び／又は残存余剰電力量が発生すると、制御装置１０は、抑制時間帯よりも前に残存余剰出力分及び／又は残存余剰電力量分の発電抑制（出力抑制）を行わせるための発電抑制制御情報を生成し、各発電装置６０に送信していた（図１６のＳ１４）。これに対し、本実施形態の制御装置は、抑制時間帯の間に、各発電装置６０の発電状況に基づき発電抑制制御情報を生成し、各発電装置６０に送信する点で異なる（例えば、図１６のＳ１７とＳ１８の間で発電抑制制御情報を送信）。そして、本実施形態の発電装置６０は、抑制時間帯に制御装置１０から受信した発電抑制制御情報に基づき発電抑制（出力抑制）を行う点で、第１乃至第６の実施形態の発電装置６０と異なる。エネルギー貯蔵システム３１の構成、制御装置１０のその他の構成、及び、発電装置６０のその他の構成は、第１乃至第６の実施形態と同様である。
【０２６４】
制御装置１０の受信部１１１（図３参照）は、抑制時間帯の間、各発電装置６０から発電関連情報（発電実績、発電出力（Ｗ））をリアルタイムに取得する。受信部１１１は、第３の実施形態で説明した処理と同様にして、発電関連情報の取得処理を実行する。第３の実施形態では、エネルギー貯蔵装置３０にトータル余剰出力を充電及び／又は消費させる処理のために、受信部１１１が当該情報を取得する処理を説明した。
【０２６５】
なお、第３の実施形態と本実施形態とを組わせる場合、受信部１１１が取得した発電関連情報は、第３の実施形態で説明した処理（エネルギー貯蔵装置３０にトータル余剰出力を充電及び／又は消費させる処理）、及び、本実施形態で説明する処理（発電装置６０に所定の出力を抑制させる処理）の両方に用いられることとなる。
【０２６６】
残存余剰算出部１８は、抑制時間帯の間、発電抑制指令の内容（上限発電出力（Ｗ））、受信部１１１が受信した各発電装置６０の発電実績（Ｗ）、及び、抑制時間帯よりも前に選択部１７が決定した内容（余剰吸収処理を実行するエネルギー貯蔵装置３０）に基づき、残存余剰出力（Ｗ）発生の有無、及び、発生している場合はその値をリアルタイムに算出する。
【０２６７】
そして、残存余剰算出部１８は残存余剰出力（Ｗ）が発生している場合、その分の出力を抑制する発電装置６０を決定する。
【０２６８】
具体的には、残存余剰算出部１８は、残存余剰出力（Ｗ）が発生している場合、発電実績（Ｗ）が上限発電出力（Ｗ）を超えている発電装置６０を、発電抑制対象（出力抑制対象）として決定する。すなわち、発電実績（Ｗ）が上限発電出力（Ｗ）を超えていない発電装置６０は、発電抑制対象（出力抑制対象）とならない。
【０２６９】
送信部１９１は、抑制時間帯の間、残存余剰算出部１８により発電抑制対象（出力抑制対象）として決定された発電装置６０に対して、発電抑制（出力抑制）の内容（負担割合等）を特定するための情報をリアルタイムに送信する。なお、送信部１９１は、すべての発電装置６０に対して、上記情報をリアルタイムに送信してもよい。
【０２７０】
複数の発電装置６０は、制御装置１０から受信した情報に基づき、自装置の発電抑制内容（出力抑制内容）を算出する。そして、算出した内容に従い電力の出力を抑制する。
【０２７１】
送信部１９１が発電抑制対象（出力抑制対象）として決定された発電装置６０に対してのみ上記情報を送信する場合、当該情報を受信した発電装置６０は、自装置が発電抑制対象（出力抑制対象）であると判断する。そして、制御装置１０から受信した情報に基づき自装置の発電抑制内容（出力抑制内容）を算出し、算出した電力分の出力を抑制する。
【０２７２】
一方、送信部１９１がすべての発電装置６０に対して上記情報を送信する場合、当該情報を受信した発電装置６０は、自装置の発電実績及び上限発電出力（Ｗ）の大小関係に基づき、自装置が発電抑制対象（出力抑制対象）であるか否かを判断する。自装置の発電実績が上限発電出力（Ｗ）より大きい場合、自装置が発電抑制対象（出力抑制対象）であると判断する。一方、自装置の発電実績が上限発電出力（Ｗ）以下である場合、自装置は発電抑制対象（出力抑制対象）でないと判断する。自装置が発電抑制対象（出力抑制対象）であると判断した発電装置６０は、制御装置１０から受信した情報に基づき自装置の発電抑制内容（出力抑制内容）を算出し、算出した電力分の出力を抑制する。
【０２７３】
以下、具体例を示す。
【０２７４】
今、再エネ電源（太陽光発電）の発電装置６０が、Ｎ台あるとする。このＮ台の発電装置６０のＩＤとして番号ｎを与える。そして、各発電装置６０の定格出力Ｐ（ｎ）、発電抑制指令で示される各発電装置６０の上限発電出力Ｕ（ｎ）、抑制時間帯の間のある時点における各発電装置６０の発電実績ｍ（ｎ）とする。なお、Ｕ（ｎ）及びｍ（ｎ）は、定格出力に対する割合で示すものとする。
【０２７５】
この場合、発電抑制指令のもと、Ｎ台の発電装置６０全体で許される発電出力（Ｗ）は、ΣＰ（ｎ）×Ｕ（ｎ）で表される。
【０２７６】
そして、抑制時間帯の間のある時点の発電装置６０の発電実績（Ｗ）は、Ｐ（ｎ）×ｍ（ｎ）で表される。
【０２７７】
制御装置１０の残存余剰算出部１８は、以下のように、上限発電出力未満の電力分と上限発電出力以上の電力分に分けた演算を行う。
【０２７８】
「上限発電出力未満の電力分」
（ｍ（ｎ）−Ｕ（ｎ）＜０）の発電装置６０を抽出し、抽出した発電装置６０に対して、Ｍ＝ΣＰ（ｎ）×｛ｍ（ｎ）−Ｕ（ｎ）｝を行う。
【０２７９】
「上限発電出力以上の電力分」
（ｍ（ｎ）−Ｕ（ｎ）≧０）の発電装置６０を抽出し、抽出した発電装置６０に対して、Ｉ＝ΣＰ（ｎ）×｛ｍ（ｎ）−Ｕ（ｎ）｝を行う。
【０２８０】
そして、残存余剰算出部１８は、Ｍ＋Ｉが０以下の場合、残存余剰出力（Ｗ）が発生していないと判断する。
【０２８１】
一方、（Ｍ＋Ｉ）が０より大の場合、残存余剰算出部１８は、エネルギー貯蔵装置３０の確保状況と（Ｍ＋Ｉ）の値に基づき、残存余剰出力（Ｗ）が発生しているか否かを判断する。
【０２８２】
ここでは、選択部１７により、抑制時間帯の長さや、エネルギー貯蔵装置の空容量（Ｗｈ）の状況から、Ｒ台のエネルギー貯蔵装置３０が余剰吸収処理を実行すると決定されたとする。このＲ台のエネルギー貯蔵装置３０のＩＤとして番号ｒを与える。そして、各エネルギー貯蔵装置３０のＰＣＳの定格出力Ｑ（ｒ）、予め計画されていた余剰吸収処理での出力上限Ｚ（ｒ）とする。なお、Ｚ（ｒ）は、定格出力に対する割合で示すものとする。
【０２８３】
この場合、Ｒ台のエネルギー貯蔵装置３０全体での出力上限（Ｗ）は、ΣＱ（ｒ）×Ｚ（ｒ）で表される。
【０２８４】
残存余剰算出部１８は、（Ｍ＋Ｉ）が０より大の場合、（Ｍ＋Ｉ）とΣＱ（ｒ）×Ｚ（ｒ）の大小比較を行う。
【０２８５】
（Ｍ＋Ｉ）がΣＱ（ｒ）×Ｚ（ｒ）より大きい場合、残存余剰出力（Ｗ）が発生していると判断する。そして、残存余剰算出部１８は、残存余剰出力Ｊ＝（Ｍ＋Ｉ）−ΣＱ（ｒ）×Ｚ（ｒ）を算出する。一方、（Ｍ＋Ｉ）がΣＱ（ｒ）×Ｚ（ｒ）以下の場合、残存余剰出力（Ｗ）は発生していないと判断する。
【０２８６】
残存余剰出力（Ｗ）が発生していると判断した場合、残存余剰算出部１８は、複数の発電装置６０に対する発電抑制内容（出力抑制内容）を決定する。本実施形態の残存余剰算出部１８は、（ｍ（ｎ）−Ｕ（ｎ）≧０）を満たす発電装置６０を、発電抑制対象（出力抑制対象）として決定する。（ｍ（ｎ）−Ｕ（ｎ）＜０）を満たす発電装置６０は、発電抑制対象（出力抑制対象）としない。
【０２８７】
残存余剰算出部１８は、発電抑制対象（出力抑制対象）として決定した発電装置６０各々に対して、Ｉに対する各発電装置６０の超過分の比率Ｒ（ｎ）＝［Ｐ（ｎ）×｛ｍ（ｎ）−Ｕ（ｎ）｝］／Ｉを算出する。そして、この比率を、各発電装置６０の負担割合として決定する。
【０２８８】
この場合、発電抑制対象（出力抑制対象）として決定された発電装置６０各々は、Ｊ×Ｒ（ｎ）＝Ｐ（ｎ）×ｍ´（ｎ）分の発電抑制（出力抑制）を行うこととなる。
【０２８９】
ここで、
ｍ´（ｎ）＝Ｊ×Ｒ（ｎ）／Ｐ（ｎ）
＝｛Ｊ×［Ｐ（ｎ）×｛ｍ（ｎ）−Ｕ（ｎ）｝］／Ｉ｝／Ｐ（ｎ）
＝Ｊ×［ｍ（ｎ）−Ｕ（ｎ）］／Ｉ・・・（式１）
となる。
【０２９０】
送信部１９１は、複数の発電装置６０に対してＩ及びＪを一斉送信する。複数の発電装置６０に送信されるＩ及びＪの内容は同じである。
【０２９１】
Ｉ及びＪを受信した発電装置６０は、自装置のｍ（ｎ）とＵ（ｎ）の大小関係に基づき、自装置が発電抑制対象（出力抑制対象）であるか否かを判断する。（ｍ（ｎ）−Ｕ（ｎ）＜０）の場合、発電抑制対象（出力抑制対象）でないと判断する。一方、（ｍ（ｎ）−Ｕ（ｎ）≧０である場合、発電抑制対象（出力抑制対象）であると判断する。
【０２９２】
自装置が発電抑制対象（出力抑制対象）であると判断した発電装置６０は、上記式（１）と自装置のｍ（ｎ）及びＵ（ｎ）に基づき、ｍ´（ｎ）を算出し、（ｍ（ｎ）−ｍ´（ｎ））で示される定格出力に対する割合を出力上限として、その値以上の出力を抑制する。
【０２９３】
なお、この間、エネルギー貯蔵装置３０は、第１乃至第６の実施形態と同様にして、制御装置１０の制御に従いエネルギー蓄積処理を行う。
【０２９４】
参考までに、表１及び２に具体的な例を示す。表１は、管理対象の６個の発電装置６０のある瞬間における発電実績等を示す。表２は、表１に示される現状に基づき、発電抑制対象として決定された４つの発電装置６０に関する情報を示す。
【０２９５】
【表１】
2017149618.tif 000003
【０２９６】
【表２】
2017149618.tif 000004
【０２９７】
ここで、図２４を用いて、第３の実施形態（図１８）との違いを説明する。図１８及び図２４より、サーバから発電側装置群に向けた「情報送信」が追加されている点で異なることが分かる。この「情報送信」は、上述した送信部１９１によるＩ及びＪの一斉送信を指す。図２４に示すように、本実施形態のサーバ（制御装置１０）は、抑制時間帯の間、所定の情報を、発電側装置群（発電装置６０等）、及び、充電／消費側装置群（貯蔵制御装置、エネルギー貯蔵装置３０等）に一斉送信する。
【０２９８】
図２４に示すように、発電側装置群（発電装置６０等）は、抑制時間帯の間、周期Ｔａで発電電力を繰り返し送信、また、周期Ｔｃでサーバから繰り返し送られてくる情報の受信を繰り返すことなる。このためデータの輻輳を軽減する手段を設けるのが好ましい。例えば、発電装置６０に発電電力を繰り返し送信する装置と、サーバから繰り返し送られてくる情報を受信する装置とを分けて設置してもよいし、その他の手段を設けてもよい。図２４に示すＴａとＴｃは同じ値であってもよいし、異なってもよい。
【０２９９】
なお、第１乃至第６の実施形態と、本実施形態とを組み合わせることもできる。すなわち、第１乃至第６の実施形態に準じて、制御装置１０は、抑制時間帯よりも前に発電抑制制御情報を生成し、各発電装置６０に送信していてもよい。そして、制御装置１０は、抑制時間帯に発生した所定のイベントの検知に応じて、第７の実施形態の処理に切り替えてもよい。
【０３００】
以上説明したように、本実施形態では、複数の発電装置６０それぞれにおける上限発電出力以上の発電出力の（発電出力が上限発電出力未満の場合は、負の値として計算する）トータル余剰出力が複数のエネルギー貯蔵装置３０において消費できない、つまり残存余剰電力情報（残存余剰出力及び／又は残存余剰電力量）がある場合、複数の発電装置に対して残存余剰電力情報に基づいた発電抑制制御情報を送信して発電装置において発電抑制（出力抑制）を行なう。
【０３０１】
本実施形態では、発電出力が上限発電出力以上である発電装置６０に対して上限発電出力を超えた発電出力である余剰出力を算出し、発電出力が上限発電出力以上である複数の発電装置６０におけるトータル余剰出力に対する、余剰出力の割合を発電装置６０ごとに算出する。そして各発電装置６０は、複数の発電装置６０に対して一斉送信された発電抑制制御情報を受信すると、発電抑制制御情報を用いて上記の割合の大きさに基づいて当該発電装置６０における発電抑制の担当分を算出し、発電抑制を行う。
【０３０２】
具体的には、制御装置１０は複数の発電装置６０に対して残存余剰電力情報に基づいた発電抑制制御情報と発電出力が上限発電出力以上である複数の発電装置におけるトータル余剰出力を一斉送信する。各発電装置６０は、発電抑制制御情報と発電出力が上限発電出力以上である複数の発電装置におけるトータル余剰出力を受信する。発電装置６０は、上限発電出力を超えた発電出力である余剰出力を算出する。そして各発電装置６０は、受信した上限発電出力以上である複数の発電装置におけるトータル余剰出力に対する自装置での余剰出力の割合を算出し、発電抑制制御情報を、割合の大きさに基づいて当該発電装置６０に割り当てて発電制御（出力抑制）を行なう。
【０３０３】
つまり各発電装置６０において、発電抑制制御情報における自装置で発電抑制する割合を算出し発電抑制を行なう。換言すると、発電出力が上限発電出力以上の複数の発電装置６０全体での余剰出力であるトータル余剰出力に対する、発電装置６０ごとの余剰出力に基づいて、各発電装置６０は負担係数（割合）を設定する。そして各発電装置６０は、発電装置６０ごとに設定した負担係数と複数の発電装置６０全体に分担された発電抑制制御情報とに基づいて、当該発電装置６０で、割り当てられた発電制御（出力抑制）を行なう。
【０３０４】
本実施形態によれば、制御装置１０は複数の発電装置６０に対して同じ情報である、上限発電出力以上である複数の発電装置におけるトータル余剰出力と、発電抑制制御情報とを一斉送信するため、制御装置１０自身が、発電装置ごとの余剰出力に基づいて発電抑制制御情報の分配を算出する処理に伴う遅延を低減することができる。なぜなら、発電装置６０側で発電抑制制御情報に対する当該装置で発電抑制を行なう割合（負担係数）を算出しているからである。
【０３０５】
上記の変形例として、制御装置１０が各発電装置６０の発電出力などの発電関連情報をモニタリング（検知or取得）している場合、制御装置１０において各発電装置６０における上限発電出力を超えた発電出力である余剰出力を算出してもよい。そして制御装置１０が、発電出力が上限発電出力以上である複数の発電装置６０におけるトータル余剰出力と発電装置６０ごとの余剰出力に基づいて、発電装置６０ごとの負担係数（割合）を算出してもよい。そして、制御装置１０は、発電装置６０ごとの負担係数（割合）と発電抑制制御情報とに基づいて、発電装置６０ごとの発電抑制制御情報を算出してもよい。そして、制御装置１０は、発電装置６０ごとに個別に算出された発電抑制情報を送信してもよい。つまり制御装置１０は、発電抑制制御情報を上記負担係数（割合）の大きさに基づいて当該発電装置６０における発電抑制の担当分を算出し、発電装置６０ごとに個別に算出した発電抑制情報を送信してもよい。
【０３０６】
この場合、制御装置１０において発電抑制制御情報を発電装置６０の余剰出力に基づいて算出し、各発電装置６０に個別の発電抑制情報を送信するため、発電装置６０側の処理遅延は低減される。
【０３０７】
図２５に本実施形態の出力制御装置６１（発電制御装置）の機能ブロック図の一例を示す。図示するように、出力制御装置６１は、受信部６１１と、算出部６１２と、制御部６１３とを有する。
【０３０８】
受信部６１１は、発電出力が上限発電出力以上である複数の発電装置６０におけるトータル余剰出力を示す情報と発電抑制制御情報を受信する。算出部６１２は、発電出力の実測値と上限発電出力との差分である余剰出力を算出する。制御部６１３は、トータル余剰出力と、余剰出力と、発電抑制制御情報と、に基づいて発電出力を制御する。
【０３０９】
制御部６１３は、トータル余剰出力に対する余剰出力の割合の大きさ、または余剰出力の大きさに基づいて発電出力を制御することができる。例えば、制御部６１３は、余剰出力が大きいほど、発電装置６０における発電抑制の値を大きくしてもよい。または、制御部６１３は、トータル余剰出力に対する余剰出力の割合が大きいほど、発電装置６０における発電抑制の値を大きくしてもよい。なお、トータル余剰出力は、複数の発電装置６０それぞれにおける上限発電出力以上の発電出力の実測値の合計である。
【０３１０】
最後に、本実施形態の装置（制御装置、貯蔵制御装置、エネルギー貯蔵装置、出力制御装置）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【０３１１】
図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａ等を有する。周辺回路には、様々なモジュールが含まれる。
【０３１２】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、外部装置、外部サーバ、外部センサー等から情報を取得するためのインターフェイスなどを含む。プロセッサ１Ａは、各モジュールに指令を出し、それらの演算結果をもとに演算を行う。
【０３１３】
以下、参考形態の例を付記する。
１．  複数の発電装置それぞれにおける発電関連情報と上限発電出力とに基づいて、前記複数の発電装置におけるトータル余剰出力を算出する第１算出手段と、
前記トータル余剰出力と、前記トータル余剰出力を吸収する複数のエネルギー貯蔵装置における貯蔵関連情報とに基づいて残存余剰電力情報を算出する第２算出手段と、
前記残存余剰電力情報に基づいて、発電抑制制御情報を算出し、前記複数の発電装置それぞれに前記発電抑制制御情報を送信する送信手段と、
を備える制御装置。
２．  １に記載の制御装置において、
前記送信手段は、前記発電装置における前記発電関連情報と前記上限発電出力とに基づいて、前記複数の発電装置それぞれに対する発電抑制制御情報を算出し、前記発電抑制制御情報を送信する制御装置。
３．  ２に記載の制御装置において、
前記発電関連情報は、発電出力の予測値であり、
前記送信手段は、前記発電装置における前記発電出力の予測値と前記上限発電出力とに基づいて、前記複数の発電装置それぞれに対する発電抑制制御情報を算出し、前記発電抑制制御情報を送信する制御装置。
４．  ３に記載の制御装置において、
前記送信手段は、前記発電出力の予測値の中の前記上限発電出力以上の出力が大きいほど、前記発電装置における発電抑制の値が大きくなるようにした前記発電抑制制御情報を送信する制御装置。
５．  ３に記載の制御装置において、
前記送信手段は、前記発電出力の予測値が前記上限発電出力以上の前記発電装置に対して、前記発電抑制制御情報を送信する制御装置。
６．  ２に記載の制御装置において、
前記発電関連情報は、発電出力の実測値であり、
前記送信手段は、前記発電装置における前記発電出力の実測値と前記上限発電出力とに基づいて、前記複数の発電装置それぞれに対する発電抑制制御情報を算出し、前記発電抑制制御情報を送信する制御装置。
７．  ６に記載の制御装置において、
前記送信手段は、前記発電出力の実測値の中の前記上限発電出力以上の出力が大きいほど、前記発電装置における発電抑制の値が大きくなるようにした前記発電抑制制御情報を送信する制御装置。
８．  ７に記載の制御装置において、
前記送信手段は、前記発電出力の実測値が前記上限発電出力以上の前記発電装置に対して、前記発電抑制制御情報を送信する制御装置。
９．  １に記載の制御装置において、
前記送信手段は、発電出力の予測値または実測値が上限発電出力以上である複数の発電装置におけるトータル余剰出力に対する、発電装置ごとの上限発電出力以上の予測値または実測値である余剰出力の割合に基づいて分配した前記発電抑制制御情報を送信する制御装置。
１０．  １から９のいずれかに記載の制御装置において、
前記送信手段は、前記トータル余剰出力を示す情報と前記発電抑制制御情報を前記複数の発電装置に一斉送信する制御装置。
１１．  １から１０のいずれかに記載の制御装置であって、
前記複数の発電装置それぞれの単位時間帯ごとの上限発電出力を受信する受信手段を備え、
前記送信手段は、前記単位時間帯ごとに算出した前記発電抑制制御情報を、複数の前記発電装置それぞれに送信する制御装置。
１２．  １から１０のいずれかに記載の制御装置であって、
前記複数の発電装置それぞれの単位時間帯ごとの余剰出力を受信する受信手段を備え、
前記送信手段は、前記単位時間帯ごとに算出した前記発電抑制制御情報を、複数の前記発電装置それぞれに送信する制御装置。
１３．  １１または１２に記載の制御装置において、
前記受信手段は、抑制実施時間帯を受信し、
前記第２算出手段は、前記抑制実施時間帯の前に、前記残存余剰電力情報を算出し、
前記送信手段は、前記抑制実施時間帯の前に、前記発電抑制制御情報を送信する制御装置。
１４．  １から１３のいずれかに記載の制御装置において、
前記送信手段は、前記残存余剰電力情報の値が大きいほど、前記発電抑制制御情報の値を大きくする制御装置。
１５．  １３または１４に記載の制御装置において、
前記抑制実施時間帯に、前記発電抑制制御情報の内容を変更するイベントの発生を検出するイベント検出手段を有し、
前記第２算出手段は、検出した前記イベントに基づいて、前記残存余剰電力情報を更新し、
前記送信手段は、更新された前記残存余剰電力情報に基づいた前記発電抑制制御情報を複数の前記発電装置それぞれに送信する制御装置。
１６．  １５に記載の制御装置において、
前記第２算出手段は、単位時間帯ごとに、複数の前記エネルギー貯蔵装置で吸収する電力量に基づいて残存余剰電力量を算出し、
前記イベント検出手段は、以前の前記単位時間帯におけるトータル余剰出力量が、複数の前記エネルギー貯蔵装置で吸収する電力量に満たない前記イベントの発生を検出する制御装置。
１７．  １６に記載の制御装置において、
前記第２算出手段は、前記以前の単位時間帯に複数の前記エネルギー貯蔵装置で吸収する電力量から、前記以前の単位時間帯における複数の前記発電装置全体でのトータル余剰出力量を引いた値を、以後の前記単位時間帯における複数の前記エネルギー貯蔵装置で吸収する電力量に加えることで、複数の前記エネルギー貯蔵装置で吸収する電力量を前記単位時間帯ごとに更新する制御装置。
１８．  １６に記載の制御装置において、
前記第２算出手段は、前記以前の単位時間帯に複数の前記エネルギー貯蔵装置で吸収する電力量から、前記以前の単位時間帯における複数の前記発電装置全体でのトータル余剰出力量を引いた値を、以後の前記単位時間帯における複数の前記エネルギー貯蔵装置で吸収する電力量に加えることで、前記残存余剰電力情報を更新し、
前記送信手段は、更新された前記残存余剰電力情報に基づいた前記発電抑制制御情報を複数の前記発電装置それぞれに送信する制御装置。
１９．  １６に記載の制御装置において、
前記イベント検出手段は、複数の前記エネルギー貯蔵装置の一部が前記トータル余剰出力を吸収できない前記イベントを検出する制御装置。
２０．  １９に記載の制御装置において、
前記第２算出手段は、前記イベントの検出に応じて、複数の前記エネルギー貯蔵装置で吸収する電力量を前記単位時間帯ごとに更新する制御装置。
２１．  ２０に記載の制御装置において、
前記第２算出手段は、前記イベントの検出に応じて前記単位時間帯毎に、複数の前記エネルギー貯蔵装置で吸収する電力量に基づいて前記残存余剰電力量を更新し、
前記送信手段は、更新された前記残存余剰電力情報に基づいた前記発電抑制制御情報を複数の前記発電装置それぞれに送信する制御装置。
２２．  １から２１のいずれかに記載の制御装置において、
前記トータル余剰出力を吸収する複数のエネルギー貯蔵装置を、前記貯蔵関連情報に基づいて単位時間ごとに選択する選択手段を備える制御装置。
２３．  ２２に記載の制御装置において、
単位時間帯ごとに前記上限発電出力が設定されており、
前記選択手段は前記単位時間帯ごとに前記エネルギー貯蔵装置を選択することを特徴とする制御装置。
２４．  １から２３のいずれかに記載の制御装置において、
単位時間帯ごとに、前記上限発電出力が設定され、前記複数のエネルギー貯蔵装置が選択されており、
前記第２算出手段は前記単位時間帯ごとに前記残存余剰電力情報を算出することを特徴とする制御装置。
２５．  発電出力が上限発電出力以上である複数の発電装置におけるトータル余剰出力を示す情報と発電抑制制御情報を受信する受信手段と、
発電出力の実測値と上限発電出力との差分である余剰出力を算出する算出手段と、
前記トータル余剰出力と、前記余剰出力と、前記発電抑制制御情報と、に基づいて前記発電出力を制御する制御手段と、
を有する発電制御装置。
２６．  ２５に記載の発電制御装置において、
前記制御手段は、前記トータル余剰出力に対する余剰出力の割合の大きさ、または前記余剰出力の大きさに基づいて前記発電出力を制御する発電制御装置。
２７．  ２６に記載の発電制御装置において、
前記制御手段は、前記余剰出力が大きいほど、前記発電装置における発電抑制の値を大きくする制御装置。
２８．  ２６に記載の発電制御装置において、
前記制御手段は、前記トータル余剰出力に対する余剰出力の割合が大きいほど、前記発電装置における発電抑制の値を大きくする発電制御装置。
２９．  ２５から２８のいずれかに記載の発電制御装置において、
前記トータル余剰出力は、前記複数の発電装置それぞれにおける上限発電出力以上の発電出力の実測値の合計である発電制御装置。
３０．  １から２４のいずれかに記載の制御装置と、
請求項２５から２９のいずれかに記載の発電制御装置と、
を有するシステム。
３１．  コンピュータが、
複数の発電装置それぞれにおける発電関連情報と上限発電出力とに基づいて、前記複数の発電装置におけるトータル余剰出力を算出する第１算出工程と、
前記トータル余剰出力と、前記トータル余剰出力を吸収する複数のエネルギー貯蔵装置における貯蔵関連情報とに基づいて残存余剰電力情報を算出する第２算出工程と、
前記残存余剰電力情報に基づいて前記複数の発電装置それぞれに発電抑制制御情報を送信する送信工程と、
を実行する制御方法。
３２．  コンピュータを、
複数の発電装置それぞれにおける発電関連情報と上限発電出力とに基づいて、前記複数の発電装置におけるトータル余剰出力を算出する第１算出手段、
前記トータル余剰出力と、前記トータル余剰出力を吸収する複数のエネルギー貯蔵装置における貯蔵関連情報とに基づいて残存余剰電力情報を算出する第２算出手段、
前記残存余剰電力情報に基づいて前記複数の発電装置それぞれに発電抑制制御情報を送信する送信手段、
として機能させるプログラム。
【図１】
2017149618.tif 000005
【図２】
2017149618.tif 000006
【図３】
2017149618.tif 000007
【図４】
2017149618.tif 000008
【図５】
2017149618.tif 000009
【図６】
2017149618.tif 000010
【図７】
2017149618.tif 000011
【図８】
2017149618.tif 000012
【図９】
2017149618.tif 000013
【図１０】
2017149618.tif 000014
【図１１】
2017149618.tif 000015
【図１２】
2017149618.tif 000016
【図１３】
2017149618.tif 000017
【図１４】
2017149618.tif 000018
【図１５】
2017149618.tif 000019
【図１６】
2017149618.tif 000020
【図１７】
2017149618.tif 000021
【図１８】
2017149618.tif 000022
【図１９】
2017149618.tif 000023
【図２０】
2017149618.tif 000024
【図２１】
2017149618.tif 000025
【図２２】
2017149618.tif 000026
【図２３】
2017149618.tif 000027
【図２４】
2017149618.tif 000028
【図２５】
2017149618.tif 000029
【国際調査報告】
2017149618.tif 000030
2017149618.tif 000031